(57)【要約】【課題】無線通信システムにおいてキャリア併合（carrier aggregation）を利用して、アップリンク信号を送信する方法を提供する。【解決手段】端末により行われる方法は、第１ＴＡＧ（timing advance group）に含まれる第１コンポーネントキャリア（component carrier）上で第１アップリンク信号を基地局に送信するステップと、第２ＴＡＧ（timing advance group）に含まれる第２コンポーネントキャリア（component carrier）上で第２アップリンク信号を基地局に送信するステップとを含むことを特徴とする。【要約】図８
2020533888.tif 000002
【特許請求の範囲】
【請求項１】
無線通信システムにおいてキャリア併合（carrier aggregation）を利用してアップリンク信号を送信する方法であって、端末により行われる方法は、
第１ＴＡＧ（timing advance group）に含まれる第１コンポーネントキャリア（component carrier）上で第１アップリンク信号を基地局に送信するステップと、
第２ＴＡＧ（timing advance group）に含まれる第２コンポーネントキャリア（component carrier）上で第２アップリンク信号を基地局に送信するステップと、を含むものの、
前記第１ＴＡＧと前記第２ＴＡＧは異なるＴＡ（timing advance）が適用され、
前記第１アップリンク信号と前記第２アップリンク信号間の最大送信タイミング差（maximum uplink timing difference）は最大のサブキャリア間隔（subcarrier spacing）に基づいて決定されることを特徴とする、方法。
【請求項２】
前記最大のサブキャリアの間隔がＮ倍増加する場合、前記最大送信タイミング差（maximum uplink timing difference）は１／Ｎ倍に減少する、請求項１に記載の方法。
【請求項３】
前記最大サブキャリア間隔は、特定の周波数バンド（frequency band）、前記無線通信システム又はＴＡＧでサポートするサブキャリア間隔のうち最大値で設定される、請求項１に記載の方法。
【請求項４】
前記第１ＴＡＧ及び前記第２ＴＡＧに対するＴＡ細分性（granularity）は、前記最大のサブキャリアの間隔を基準に設定される、請求項１に記載の方法。
【請求項５】
前記第１ＴＡＧ及び前記第２ＴＡＧのそれぞれは、単一ヌメロロジー（single numerology）で設定されるか、又は多数のヌメロロジー（single numerology）で設定される、請求項４に記載の方法。
【請求項６】
前記第１ＴＡＧ及び前記第２ＴＡＧが単一ヌメロロジー（single numerology）で設定された場合、最大ＴＡはサブキャリア間隔別に設定される、請求項５に記載の方法。
【請求項７】
前記第１ＴＡＧ及び前記第２ＴＡＧがそれぞれ多数のヌメロロジー（single numerology）で設定された場合、各ＴＡＧ内の最大（maximum）ＴＡは最小（minimum）サブキャリア間隔を基準に設定される、請求項６に記載の方法。
【請求項８】
前記第１ＴＡＧはｐＴＡＧ（primary TAG）であり、
前記第２ＴＡＧはｓＴＡＧ（secondary TAG）である、請求項１に記載の方法。
【請求項９】
無線通信システムにおいてキャリア併合（carrier aggregation）を利用してダウンリンク信号を受信する方法であって、端末により行われる方法は、
第１ＴＡＧ（timing advance group）に含まれる第１コンポーネントキャリア（component carrier）上で第１ダウンリンク信号を基地局から受信するステップと、
第２ＴＡＧ（timing advance group）に含まれる第２コンポーネントキャリア（component carrier）上で第２ダウンリンク信号を基地局から受信するステップと、を含むものの、
前記第１ダウンリンク信号と前記第２ダウンリンク信号間の最大受信タイミング差（maximum uplink timing difference）は受信バッファサイズ（receive buffer size）、遅延時間（latency）又は最大TAのうち少なくとも１つに基づいて決定されることを特徴とする、方法。
【請求項１０】
前記第１ダウンリンク信号はダウンリンク制御信号であり、
前記第２ダウンリンク信号はダウンリンクデータである、請求項９に記載の方法。
【請求項１１】
無線通信システムにおいてキャリア併合（carrier aggregation）を利用してアップリンク信号を送信するための端末であって、
無線信号を送受信するためのＲＦモジュール（radio frequency module）と、
前記ＲＦモジュールと機能的に接続されているプロセッサと、を含み、
前記プロセッサは、
第１ＴＡＧ（timing advance group）に含まれる第１コンポーネントキャリア（component carrier）上で第１アップリンク信号を基地局に送信し、
第２ＴＡＧ（timing advance group）に含まれる第２コンポーネントキャリア（component carrier）上で第２アップリンク信号を基地局に送信するように設定され、
前記第１ＴＡＧと前記第２ＴＡＧは異なるＴＡ（timing advance）が適用され、
前記第１アップリンク信号と前記第２アップリンク信号間の最大送信タイミング差（maximum uplink timing difference）は最大のサブキャリア間隔（subcarrier spacing）に基づいて決定されることを特徴とする、端末。
【発明の詳細な説明】
【技術分野】
【０００１】
本発明は、無線通信システムに関し、より詳細には、キャリア併合（carrier aggregation ：ＣＡ）を用いて信号を送受信するための方法及びこれをサポートする装置に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によってリソースの不足現象が引起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり送信率の画期的な増加、大幅増加した接続デバイス個数の収容、非常に低い端対端遅延（End-to-End Latency）、高エネルギー効率をサポートできなければならない。そのために、二重接続性（Dual Connectivity）、大規模多重入出力（Massive MIMO：Massive Multiple Input Multiple Output）、全二重（In-band Full Duplex）、非直交多重接続（NOMA：Non-Orthogonal Multiple Access）、超広帯域（Super wideband）サポート、端末ネットワーキング（Device Networking）など、多様な技術が研究されている。
【発明の概要】
【発明が解決しようとする課題】
【０００４】
本明細書は、ＮＲ（new radio）  ＣＡ（carrier aggregation）の状況において、ＴＡ（timing advance）又はｍｕｌｔｉｐｌｅ  ＴＡをサポートするための様々な要求事項、ＴＡ微細単位（granularity）、ＴＡ最大値などの決定方法を提供することに目的がある。
【０００５】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００６】
本明細書は、無線通信システムにおいてキャリア併合（carrier aggregation）を利用してアップリンク信号を送信する方法であって、端末により行われる方法は、第１ＴＡＧ（timing advance group）に含まれる第１コンポーネントキャリア（component carrier）上で第１アップリンク信号を基地局に送信するステップと、第２ＴＡＧ（timing advance group）に含まれる第２コンポーネントキャリア（component carrier）上で第２アップリンク信号を基地局に送信するステップとを含むものの、前記第１ＴＡＧと前記第２ＴＡＧは相異なるＴＡ（timing advance）が適用され、前記第１アップリンク信号と前記第２アップリンク信号間の最大送信タイミング差（maximum uplink timing difference）は最大サブキャリア間隔（subcarrier spacing）に基づいて決定されることを特徴とする。
【０００７】
また、本明細書において、前記最大サブキャリア間隔がＮ倍増加する場合、前記最大送信タイミング差（maximum uplink timing difference）は１／Ｎ倍に減少することを特徴とする。
【０００８】
また、本明細書において、前記最大サブキャリア間隔は、特定の周波数バンド（frequency band）、前記無線通信システム又はＴＡＧでサポートするサブキャリア間隔のうち最大値で設定されることを特徴とする。
【０００９】
また、本明細書において、前記第１ＴＡＧ及び前記第２ＴＡＧに対するＴＡ細分性（granularity）は、前記最大サブキャリアの間隔を基準に設定されることを特徴とする。
【００１０】
また、本明細書において、前記第１ＴＡＧ及び前記第２ＴＡＧのそれぞれは、単一ヌメロロジー（single numerology）で設定されるか、または、多数のヌメロロジー（single numerology）で設定されることを特徴とする。
【００１１】
また、本明細書において、前記第１ＴＡＧ及び前記第２ＴＡＧが単一ヌメロロジー（single numerology）で設定された場合、最大ＴＡはサブキャリア間隔別に設定されることを特徴とする。
【００１２】
また、本明細書において、前記第１ＴＡＧ及び前記第２ＴＡＧがそれぞれ多数のヌメロロジー（single numerology）で設定された場合、各ＴＡＧ内の最大（maximum）ＴＡは最小（minimum）サブキャリアの間隔を基準に設定されることを特徴とする。
【００１３】
また、本明細書において、前記第１ＴＡＧはｐＴＡＧ（primary TAG）であり、前記第２ＴＡＧはｓＴＡＧ（secondary TAG）であることを特徴とする。
【００１４】
また、本明細書は、無線通信システムにおいてキャリア併合（carrier aggregation）を利用してダウンリンク信号を受信する方法であって、端末により行われる方法は、第１ＴＡＧ（timing advance group）に含まれる第１コンポーネントキャリア（component carrier）上で第１ダウンリンク信号を基地局から受信するステップと、第２ＴＡＧ（timing advance group）に含まれる第２コンポーネントキャリア（component carrier）上で第２ダウンリンク信号を基地局から受信するステップとを含むものの、前記第１ダウンリンク信号と前記第２ダウンリンク信号間の最大受信タイミング差（maximum uplink timing difference）は受信バッファサイズ（receive buffer size）、遅延時間（latency）又は最大ＴＡの少なくとも１つに基づいて決定されることを特徴とする。
【００１５】
また、本明細書において、前記第１ダウンリンク信号はダウンリンク制御信号であり、前記第２ダウンリンク信号はダウンリンクデータであることを特徴とする。
【００１６】
また、本明細書で、無線通信システムにおいてキャリア併合（carrier aggregation）を利用してアップリンク信号を送信するための端末であって、無線信号を送受信するためのＲＦモジュール（radio frequency module）と、前記ＲＦモジュールと機能的に接続されているプロセッサとを含み、前記プロセッサは、第１ＴＡＧ（timing advance group）に含まれる第１コンポーネントキャリア（component carrier）上で第１アップリンク信号を基地局に送信し、第２ＴＡＧ（timing advance group）に含まれる第２コンポーネントキャリア（component carrier）上で第２アップリンク信号を基地局に送信するように設定され、前記第１ＴＡＧと前記第２ＴＡＧは相異なるＴＡ（timing advance）が適用され、前記第１アップリンク信号と前記第２アップリンク信号間の最大送信タイミング差（maximum uplink timing difference）は最大サブキャリア間隔（subcarrier spacing）に基づいて決定されることを特徴とする。
【発明の効果】
【００１７】
本明細書は、ＴＡ（timing advance）又はｍｕｌｔｉｐｌｅ  ＴＡをサポートするための様々な要求事項と、ＴＡ細分化（granularity）とＴＡ最大値を決定する方法を定義することにより、ＮＲにおいてＣＡを効率的にサポートできる効果がある。
【００１８】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００１９】
本発明に関する理解を助けるために詳細な説明の一部に含まれる添付図面は本発明に対する実施形態を提供し、詳細な説明と共に本発明の技術的特徴を説明する。
【００２０】
【図１】本明細書で提案する方法が適用できるＮＲの全体的なシステム構造の一例を示す図である。
【図２】本明細書で提案する方法が適用できる無線通信システムにおいてアップリンクフレームとダウンリンクフレーム間の関係を示す。
【図３】本明細書で提案する方法が適用できる無線通信システムにおいてサポートするリソースグリッド（resource grid）の一例を示す。
【図４】本明細書で提案する方法が適用できるアンテナポート及びヌメロロジー別のリソースグリッドの例を示す。
【図５】本明細書で提案する方法が適用できる自己完結型スロット（self-contained slot）構造の一例を示す図である。
【図６】本発明が適用できる無線通信システムにおいてコンポーネントキャリア及びキャリア併合の一例を示す。
【図７】ＮＲシステムにおけるキャリア併合を考慮した配置シナリオ（deployment scenarios）の例を示す。
【図８】本明細書で提案するＣＡ状況においてアップリンク信号を送信する端末の動作の一例を示す図である。
【図９】本明細書で提案するＣＡ状況においてダウンリンク信号を受信する端末の動作の一例を示す図である。
【図１０】本明細書で提案する方法が適用できる無線通信装置のブロック構成図を例示する。
【図１１】本発明の一実施形態による通信装置のブロック構成図を例示する。
【図１２】本明細書で提案する方法が適用できる無線通信装置のＲＦモジュールの一例を示す図である。
【図１３】本明細書で提案する方法が適用できる無線通信装置のＲＦモジュールのまた他の一例を示す図である。
【発明を実施するための形態】
【００２１】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２２】
幾つかの場合、本発明の概念が曖昧になることを避けるために公知の構造及び装置は省略されるか、または各構造及び装置の核心機能を中心としたブロック図形式に図示できる。
【００２３】
本明細書で、基地局は端末と直接的に通信を行うネットワークの終端ノード（terminal node）としての意味を有する。本文書で、基地局により遂行されるものとして説明された特定動作は、場合によっては、基地局の上位ノード（upper node）により遂行されることもできる。即ち、基地局を含む多数のネットワークノード（network nodes）からなるネットワークで、端末との通信のために遂行される多様な動作は基地局または基地局の以外の他のネットワークノードにより遂行できることは自明である。「基地局（ＢＳ：Base Station）」は、固定局（fixed station）、Ｎｏｄｅ  Ｂ、ｅＮＢ（evolved-NodeB）、ＢＴＳ（base transceiver system）、アクセスポイント（ＡＰ：Access Point）、ｇＮＢ（general NB）などの用語により取替できる。また、「端末（Terminal）」は固定されるか、または移動性を有することができ、ＵＥ（User Equipment）、ＭＳ（Mobile Station）、ＵＴ（user terminal）、ＭＳＳ（Mobile Subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に取替できる。
【００２４】
以下、ダウンリンク（ＤＬ：downlink）は基地局から端末への通信を意味し、アップリンク（ＵＬ：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
【００２５】
以下の説明で使われる特定用語は本発明の理解を助けるために提供されたものであり、このような特定用語の使用は本発明の技術的思想を逸脱しない範囲で異なる形態に変更できる。
【００２６】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal multiple access）などの多様な無線接続システムに利用できる。ＣＤＭＡは、ＵＴＲＡ（universal terrestrial radio access）やＣＤＭＡ２０００のような無線技術（radio technology）で実現できる。ＴＤＭＡは、ＧＳＭ（global system for mobile communications）／ＧＰＲＳ（general packet radio service）／ＥＤＧＥ（enhanced data rates for GSM evolution）のような無線技術で実現できる。ＯＦＤＭＡは、ＩＥＥＥ ８０２．１１（ＷｉＦｉ）、ＩＥＥＥ ８０２．１６（ＷｉＭＡＸ）、ＩＥＥＥ ８０２-２０、Ｅ−ＵＴＲＡ（evolved UTRA）などの無線技術で実現できる。ＵＴＲＡは、ＵＭＴＳ（universal mobile telecommunications system）の一部である。３ＧＰＰ（3rd generation partnership project）  ＬＴＥ（longterm evolution）は、Ｅ−ＵＴＲＡを使用するＥ−ＵＭＴＳ（evolved UMTS）の一部であって、ダウンリンクでＯＦＤＭＡを採用し、アップリンクでＳＣ−ＦＤＭＡを採用する。ＬＴＥ−Ａ（advanced）は３ＧＰＰ  ＬＴＥの進化である。
【００２７】
５Ｇ  ＮＲは、ｕｓａｇｅ  ｓｃｅｎａｒｉｏによってｅＭＢＢ（enhanced Mobile Broadband）、ｍＭＴＣ（massive Machine Type Communications）、ＵＲＬＬＣ（Ultra-Reliable and Low Latency Communications）、Ｖ２Ｘ（vehicle-to-everything）を定義する。
【００２８】
そして、５Ｇ  ＮＲ規格（standard）は、ＮＲシステムとＬＴＥシステムとの間の共存（co-existence）によってｓｔａｎｄａｌｏｎｅ（ＳＡ）とｎｏｎ−ｓｔａｎｄａｌｏｎｅ（ＮＳＡ）とに区分する。
【００２９】
そして、５Ｇ  ＮＲは多様なサブキャリア間隔（subcarrier spacing）をサポートし、ダウンリンクでＣＰ−ＯＦＤＭを、アップリンクでＣＰ−ＯＦＤＭ及びＤＦＴ−ｓ−ＯＦＤＭ（ＳＣ−ＯＦＤＭ）をサポートする。
【００３０】
本発明の実施形態は無線接続システムであるＩＥＥＥ ８０２、３ＧＰＰ、及び３ＧＰＰ２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３１】
説明を明確にするために、３ＧＰＰ  ＬＴＥ／ＬＴＥ−Ａを中心として技術するが、本発明の技術的特徴がこれに制限されるものではない。
【００３２】
用語の定義
【００３３】
ｅＬＴＥ  ｅＮＢ：ｅＬＴＥ  ｅＮＢは、ＥＰＣ（Evolved Packet Core）及びＮＧＣ（Next Generation Core）に対する接続をサポートするｅＮＢの進化（evolution）である。
【００３４】
ｇＮＢ：ＮＧＣとの接続だけでなく、ＮＲをサポートするノード。
【００３５】
新たなｒａｎ：ＮＲ又はＥ−ＵＴＲＡをサポートするか、またはＮＧＣと相互作用する無線アクセスネットワーク。
【００３６】
ネットワークスライス（network slice）：ネットワークスライスは、終端間の範囲と共に特定要求事項を要求する特定市場シナリオに対して最適化されたソリューションを提供するようにオペレータ（operator）により定義されたネットワーク。
【００３７】
ネットワーク機能（network function）：ネットワーク機能は、よく定義された外部インタフェースとよく定義された機能的動作を有するネットワークインフラ内での論理的ノード。
【００３８】
ＮＧ−Ｃ：新たなＲＡＮとＮＧＣとの間のＮＧ２レファレンスポイント（reference point）に使われる制御プレーンインタフェース。
【００３９】
ＮＧ−Ｕ：新たなＲＡＮとＮＧＣとの間のＮＧ３レファレンスポイント（reference point）に使われるユーザプレーンインタフェース。
【００４０】
非独立型（Non-standalone）ＮＲ：ｇＮＢがＬＴＥ  ｅＮＢをＥＰＣに制御プレーン接続のためのアンカーとして要求するか、またはｅＬＴＥ  ｅＮＢをＮＧＣに制御プレーン接続のためのアンカーとして要求する配置構成。
【００４１】
非独立型Ｅ−ＵＴＲＡ：ｅＬＴＥ  ｅＮＢがＮＧＣに制御プレーン接続のためのアンカーとしてｇＮＢを要求する配置構成。
【００４２】
ユーザプレーンゲートウェイ：ＮＧ−Ｕインタフェースの終端点。
【００４３】
システム一般
【００４４】
図１は、本明細書で提案する方法が適用できるＮＲの全体的なシステム構造の一例を示す図である。
【００４５】
図１に示すように、ＮＧ−ＲＡＮはＮＧ−ＲＡユーザプレーン（新たなＡＳ  ｓｕｂｌａｙｅｒ／ＰＤＣＰ／ＲＬＣ／ＭＡＣ／ＰＨＹ）及びＵＥ（User Equipment）に対する制御プレーン（ＲＲＣ）プロトコル終端を提供するｇＮＢで構成される。
【００４６】
前記ｇＮＢは、Ｘｎインタフェースを通じて相互接続される。
【００４７】
また、前記ｇＮＢは、ＮＧインタフェースを通じてＮＧＣに接続される。
【００４８】
より具体的には、前記ｇＮＢはＮ２インタフェースを通じてＡＭＦ（Access and Mobility Management Function）に、Ｎ３インタフェースを通じてＵＰＦ（User Plane Function）に接続される。
【００４９】
ＮＲヌメロロジー（Numerology）及びフレーム（frame）構造
【００５０】
ＮＲシステムでは、多数のヌメロロジー（numerology）がサポートできる。ここで、ヌメロロジーはサブキャリア間隔（subcarrier spacing）とＣＰ（Cyclic Prefix）オーバーヘッドにより定義できる。この際、多数のサブキャリア間隔は基本サブキャリア間隔を整数Ｎ（又は、μ）にスケーリング（scaling）することにより誘導できる。また、非常に高い搬送波周波数で非常に低いサブキャリア間隔を利用しないと仮定されても、用いられるヌメロロジーは周波数バンドと独立的に選択できる。
【００５１】
また、ＮＲシステムでは多数のヌメロロジーに従う多様なフレーム構造がサポートできる。
【００５２】
以下、ＮＲシステムにおいて考慮できるＯＦＤＭ（Orthogonal Frequency Division Multiplexing）ヌメロロジー及びフレーム構造を説明する。
【００５３】
ＮＲシステムにおいてサポートされる多数のＯＦＤＭヌメロロジーは、表１のように定義できる。
【００５４】
【表１】
2020533888.tif 000003
【００５５】
ＮＲシステムにおけるフレーム構造（frame structure）と関連して、時間領域の多様なフィールドのサイズは
2020533888.tif 000004
の時間単位の倍数として表現される。ここで、
2020533888.tif 000005
であり、
2020533888.tif 000006
である。ダウンリンク（downlink）及びアップリンク（uplink）送信は
2020533888.tif 000007
の区間を有する無線フレーム（radio frame）で構成される。ここで、無線フレームは各々
2020533888.tif 000008
の区間を有する１０個のサブフレーム（subframe）で構成される。この場合、アップリンクに対する１セットのフレーム及びダウンリンクに対する１セットのフレームが存在することができる。
【００５６】
図２は、本明細書で提案する方法が適用できる無線通信システムにおけるアップリンクフレームとダウンリンクフレームとの間の関係を示す。
【００５７】
図２に示すように、端末（User Equipment：ＵＥ）からのアップリンクフレーム番号ｉの送信は、該当端末での該当ダウンリンクフレームの開始より
2020533888.tif 000009
以前に始めなければならない。
【００５８】
ヌメロロジーμに対して、スロット（slot）はサブフレーム内で
2020533888.tif 000010
の増加する順に番号が付けられて、無線フレーム内で
2020533888.tif 000011
の増加する順に番号が付けられる。１つのスロットは
2020533888.tif 000012
の連続するＯＦＤＭシンボルで構成され、
2020533888.tif 000013
は用いられるヌメロロジー及びスロット設定（slot configuration）によって決定される。サブフレームでスロット
2020533888.tif 000014
の開始は同一サブフレームでＯＦＤＭシンボル
2020533888.tif 000015
の開始と時間的に整列される。
【００５９】
全ての端末が同時に送信及び受信できるものではなく、これはダウンリンクスロット（downlink slot）又はアップリンクスロット（uplink slot）の全てのＯＦＤＭシンボルが利用できないことを意味する。
【００６０】
表２は、ヌメロロジーμでの一般（normal）ＣＰに対するスロット当たりＯＦＤＭシンボルの数を示し、表３はヌメロロジーμでの拡張（extended）ＣＰに対するスロット当たりＯＦＤＭシンボルの数を示す。
【００６１】
【表２】
2020533888.tif 000016
【００６２】
【表３】
2020533888.tif 000017
【００６３】
ＮＲ物理リソース（NR Physical Resource）
【００６４】
ＮＲシステムにおける物理リソース（physical resource）と関連して、アンテナポート（antenna port）、リソースグリッド（resource grid）、リソース要素（resource element）、リソースブロック（resource block）、キャリアパート（carrier part）などが考慮できる。
【００６５】
以下、ＮＲシステムで考慮できる前記物理リソースに対して具体的に説明する。
【００６６】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはＱＣ／ＱＣＬ（quasico-locatedまたはquasi co-location）関係にいるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００６７】
図３は、本明細書で提案する方法が適用できる無線通信システムでサポートするリソースグリッド（resource grid）の一例を示す。
【００６８】
図３に示すように、リソースグリッドが周波数領域上に
2020533888.tif 000018
サブキャリアで構成され、１つのサブフレームが１４・２μＯＦＤＭシンボルで構成されることを例示的に記述するが、これに限定されるものではない。
【００６９】
ＮＲシステムにおいて、送信される信号（transmitted signal）は
2020533888.tif 000019
サブキャリアで構成される１つまたはその以上のリソースグリッド及び
2020533888.tif 000020
のＯＦＤＭシンボルにより説明される。ここで、
2020533888.tif 000021
である。前記
2020533888.tif 000022
は最大送信帯域幅を示し、これは、ヌメロロジーだけでなく、アップリンクとダウンリンクとの間にも変わることができる。
【００７０】
この場合、図４のように、ヌメロロジー
2020533888.tif 000023
及びアンテナポートｐ別に１つのリソースグリッドが設定される。
【００７１】
図４は、本明細書で提案する方法が適用できるアンテナポート及びヌメロロジー別のリソースグリッドの例を示す。
【００７２】
ヌメロロジー
2020533888.tif 000024
及びアンテナポートｐに対するリソースグリッドの各要素はリソース要素（resource element）と称され、インデックス対
2020533888.tif 000025
により固有的に識別される。ここで、
2020533888.tif 000026
は周波数領域上のインデックスであり、
2020533888.tif 000027
はサブフレーム内でのシンボルの位置を示す。スロットにおいてリソース要素を称するときには、インデックス対
2020533888.tif 000028
が用いられる。ここで、
2020533888.tif 000029
である。
【００７３】
ヌメロロジー
2020533888.tif 000030
及びアンテナポートｐに対するリソース要素
2020533888.tif 000031
は複素値（complex value）
2020533888.tif 000032
に該当する。混同（confusion）される危険がない場合、又は、特定アンテナポート又はヌメロロジーが特定されていない場合、インデックスｐ及び
2020533888.tif 000033
はドロップ（drop）され、その結果、複素値は
2020533888.tif 000034
又は
2020533888.tif 000035
となる。
【００７４】
また、物理リソースブロック（physical resource block）は周波数領域上の
2020533888.tif 000036
連続的なサブキャリアで定義される。周波数領域上で、物理リソースブロックは０から
2020533888.tif 000037
まで番号が付けられる。ここで、周波数領域上の物理リソースブロック番号（physical resource block number）
2020533888.tif 000038
とリソース要素
2020533888.tif 000039
間の関係は、数式１のようである。
【００７５】
【数１】
2020533888.tif 000040
【００７６】
また、キャリアパート（carrier part）に関連して、端末は、リソースグリッドのサブセット（subset）のみを利用して受信又は送信するように設定されることができる。ここで、端末が受信又は送信するように設定されたリソースブロックの集合（set）は、周波数領域上で０から
2020533888.tif 000041
まで番号が付けられる。
【００７７】
自己完結型（Self-contained ）スロット構造
【００７８】
ＴＤＤシステムにおいてデータ送信の遅延（latency）を最小化するために５世代Ｎｅｗ  ＲＡＴ（ＮＲ）では、図５のような自己完結型スロット構造（self-contained slot structure）を考慮している。
【００７９】
すなわち、図５は、本明細書で提案する方法が適用できる自己完結型スロット（self-contained slot）構造の一例を示す図である。
【００８０】
図５において、斜線領域５１０はダウンリンク制御（downlink control）領域を示し、黒い部分５２０はアップリンク制御（uplink control）領域を示す。
【００８１】
何の表示もない部分５３０はダウンリンクデータ送信のために使用されてもよく、アップリンクデータ送信のために使用されてもよい。
【００８２】
このような構造の特徴は、１つのスロット内でＤＬ送信とＵＬ送信が順次行われ、１つのスロット内でＤＬデータを送信し、ＵＬ  Ａｃｋ／Ｎａｃｋも送受信できる。
【００８３】
このようなスロットを「自己完結型スロット（self-contained slot）」と定義できる。
【００８４】
すなわち、このようなスロット構造により、基地局は、データ送信エラーの発生時に端末へのデータ再送信までかかる時間を短縮し、これにより、最終データ送信の遅延（latency）を最小化することができる。
【００８５】
このような自己完結型スロット構造において、基地局と端末は送信モードから受信モードに切り替える過程又は受信モードから送信モードに切り替える過程のための時間間隔（time gap）が必要である。
【００８６】
このために、当該スロット構造において、ＤＬからＵＬに転換される時点の一部ＯＦＤＭシンボルが保護区間（guard period：ＧＰ）に設定される。
【００８７】
キャリア併合（Carrier Aggregation）
【００８８】
本発明の実施形態において考慮する通信環境は、マルチキャリア（Multi-carrier）サポート環境を全て含む。すなわち、本発明で使用されるマルチキャリアシステム又はキャリア併合（ＣＡ：Carrier Aggregation）システムとは、広帯域をサポートするために、目標とする広帯域を構成するときに目標帯域より小さい帯域幅（bandwidth）を有する１つ以上のコンポーネントキャリア（ＣＣ：Component Carrier）を併合（aggregation）して使用するシステムをいう。
【００８９】
本発明においてマルチキャリアは、キャリアの併合（又は、搬送波集成）を意味し、ここで、キャリアの併合は、隣接した（contiguous）キャリア間の併合だけでなく、非隣接した（non-contiguous）キャリア間の併合の両方ともを意味する。また、ダウンリンクとアップリンク間に集成されるコンポーネントキャリアの数は異なるように設定されることができる。ダウンリンクコンポーネントキャリア（以下、「ＤＬ  ＣＣ」という。）の数とアップリンクコンポーネントキャリア（以下、「ＵＬ  ＣＣ」という。）の数が同一である場合を対称的（symmetric）集成といい、その数が異なる場合を非対称的（asymmetric）集成という。このようなキャリア併合は、搬送波集成、帯域幅集成（bandwidth aggregation）、スペクトル集成（spectrum aggregation）などの用語と混用して使用されてもよい。
【００９０】
２つ以上のコンポーネントキャリアが結合されて構成されるキャリア併合は、ＬＴＥ−Ａシステムでは１００ＭＨｚ帯域幅までサポートすることを目標とする。目標帯域より小さい帯域幅を有する１つ以上のキャリアを結合するとき、結合するキャリアの帯域幅は、既存のＩＭＴシステムとの互換性（backward compatibility）の維持のために既存のシステムで使用する帯域幅に制限することができる。例えば、既存の３ＧＰＰ  ＬＴＥシステムにおいては、｛１．４，３，５，１０，１５，２０｝ＭＨｚ帯域幅をサポートし、３ＧＰＰ ＬＴＥ−ａｄｖａｎｃｅｄシステム（すなわち、ＬＴＥ−Ａ）においては、既存のシステムとの互換のために前記帯域幅のみを利用して２０ＭＨｚより大きい帯域幅をサポートするようにすることができる。また、本発明で使用されるキャリア併合システムは、既存のシステムで使用する帯域幅と関係なく新たな帯域幅を定義してキャリア併合をサポートするようにすることもできる。
【００９１】
ＬＴＥ−Ａシステムは、無線リソースを管理するためにセル（cell）の概念を使用する。
【００９２】
前述したキャリア併合環境は、多重セル（multiple cells）環境ということができる。セルは、ダウンリンクリソース（ＤＬ  ＣＣ）とアップリンクリソース（ＵＬ  ＣＣ）の一対の組み合わせで定義されるが、アップリンクリソースは必須要素ではない。従って、セルは、ダウンリンクリソース単独、又はダウンリンクリソースとアップリンクリソースで構成されることができる。特定端末がただ１つの設定されたサービングセル（configured serving cell）を有する場合、１つのＤＬ  ＣＣと１つのＵＬ  ＣＣを有することができるが、特定端末が２つ以上の設定されたサービングセルを有する場合は、セルの数の分だけのＤＬ  ＣＣを有し、ＵＬ  ＣＣの数は、それと等しいかより小さい。
【００９３】
また、その逆にＤＬ  ＣＣとＵＬ  ＣＣが構成されることもできる。すなわち、特定端末が複数の設定されたサービングセルを有する場合、ＤＬ  ＣＣの数よりＵＬ  ＣＣがさらに多いキャリア併合環境もサポートされることができる。すなわち、キャリア併合（carrier aggregation）は、それぞれキャリア周波数（セルの中心周波数）が相異なる２つ以上のセルの併合として理解されることができる。ここで言う「セル（Cell）」は、一般的に使用される基地局がカバーする領域としての「セル」とは区別されるべきである。
【００９４】
ＬＴＥ−Ａシステムで使用されるセルは、プライマリセル（ＰＣｅｌｌ：Primary Cell）及びセカンダリセル（ＳＣｅｌｌ：Secondary Cell）を含む。ＰセルとＳセルは、サービングセル（Serving Cell）として用いられることができる。ＲＲＣ＿ＣＯＮＮＥＣＴＥＤ状態にあるが、キャリア併合が設定されていないか、キャリア併合をサポートしない端末の場合、Ｐセルのみで構成されたサービングセルがただ１つ存在する。それに対して、ＲＲＣ＿ＣＯＮＮＥＣＴＥＤ状態にあり、キャリア併合が設定された端末の場合、１つ以上のサービングセルが存在することができ、全体のセルにはＰセルと１つ以上のＳセルが含まれる。
【００９５】
サービングセル（ＰセルとＳセル）は、ＲＲＣパラメータにより設定されることができる。ＰｈｙｓＣｅｌｌＩｄは、セルの物理層識別子として０から５０３までの整数値を有する。ＳＣｅｌｌＩｎｄｅｘは、Ｓセルを識別するために使用される簡略な（short）識別子として１から７までの整数値を有する。ＳｅｒｖＣｅｌｌＩｎｄｅｘは、サービングセル（Ｐセル又はＳセル）を識別するために使用される簡略な（short）識別子として０から７までの整数値を有する。０値はＰセルに適用され、ＳＣｅｌｌＩｎｄｅｘは、Ｓセルに適用するために予め付与される。すなわち、ＳｅｒｖＣｅｌｌＩｎｄｅｘにおいて最小のセルＩＤ（又は、セルインデックス）を有するセルがＰセルとなる。
【００９６】
Ｐセルは、プライマリ周波数（又は、primary CC）上で動作するセルを意味する。端末が初期接続設定（initial connection establishment）過程を行うか、接続再設定過程を行うことに使用されることができ、ハンドオーバー過程で指示されたセルを称することもできる。また、Ｐセルは、キャリア併合環境で設定されたサービングセルのうち制御関連通信の中心となるセルを意味する。すなわち、端末は、自分のＰセルにおいてのみＰＵＣＣＨの割り当てを受けて送信することができ、システムの情報を取得するか、モニタリング手順を変更することにＰセルのみを利用することができる。Ｅ−ＵＴＲＡＮ（Evolved Universal Terrestrial Radio Access）は、キャリア併合環境をサポートする端末に移動性制御情報（ｍｏｂｉｌｉｔｙＣｏｎｔｒｏｌＩｎｆｏ）を含む上位層のＲＲＣ接続再設定（ＲＲＣＣｏｎｎｅｃｔｉｏｎＲｅｃｏｎｆｉｇｕｔａｉｏｎ）メッセージを利用して、ハンドオーバー手順のためにＰセルのみを変更することもできる。
【００９７】
Ｓセルは、セカンダリ周波数（又は、Secondary CC）上で動作するセルを意味することができる。特定端末にＰセルは１つのみが割り当てられ、Ｓセルは、１つ以上が割り当てられることができる。Ｓセルは、ＲＲＣ接続の設定が行われた後に構成可能であり、追加的な無線リソースを提供することに使用されることができる。キャリア併合環境で設定されたサービングセルのうちＰセルを除いた残りのセル、すなわち、ＳセルにはＰＵＣＣＨが存在しない。Ｅ−ＵＴＲＡＮは、Ｓセルをキャリア併合環境をサポートする端末に追加するとき、ＲＲＣ＿ＣＯＮＮＥＣＴＥＤ状態にある関連セルの動作と関連した全てのシステム情報を特定シグナル（dedicated signal）により提供することができる。システム情報の変更は、関連したＳセルの解除及び追加により制御されることができ、ここで、上位層のＲＲＣ接続再設定（ＲＲＣＣｏｎｎｅｃｔｉｏｎＲｅｃｏｎｆｉｇｕｔａｉｏｎ）メッセージを利用することができる。Ｅ−ＵＴＲＡＮは、関連したＳセル内においてブロードキャストするよりは端末別に相異なるパラメータを有する特定シグナリング（dedicated signaling）をすることができる。
【００９８】
初期保安活性化の過程が開始された後、Ｅ−ＵＴＲＡＮは、接続設定過程で、初期に構成されるＰセルに付加して１つ以上のＳセルを含むネットワークを構成することができる。キャリア併合環境でＰセル及びＳセルは、それぞれのコンポーネントキャリアとして動作することができる。以下の実施形態では、プライマリコンポーネントキャリア（ＰＣＣ）はＰセルと同一の意味で用いられることができ、セカンダリコンポーネントキャリア（ＳＣＣ）はＳセルと同一の意味で用いられることができる。
【００９９】
図６は、本発明が適用できる無線通信システムにおいてコンポーネントキャリア及びキャリア併合の一例を示す。
【０１００】
図６の（ａ）は、ＬＴＥシステムにおいて使用される単一キャリア構造を示す。コンポーネントキャリアとしてはＤＬ  ＣＣとＵＬ  ＣＣがある。１つのコンポーネントキャリアは２０ＭＨｚの周波数範囲を有することができる。
【０１０１】
図６の（ｂ）は、ＬＴＥ＿Ａシステムにおいて使用されるキャリア併合構造を示す。図６の（ｂ）の場合に２０ＭＨｚの周波数サイズを有する３つのコンポーネントキャリアが結合された場合を示す。ＤＬ  ＣＣとＵＬ  ＣＣがそれぞれ３つずつあるが、ＤＬ  ＣＣとＵＬ  ＣＣの個数に制限があることではない。キャリア併合の場合、端末は、３つのＣＣを同時にモニターすることができ、ダウンリンク信号／データを受信することができ、アップリンク信号／データを送信することができる。
【０１０２】
特定のセルにおいてＮ個のＤＬ  ＣＣが管理される場合、ネットワークは、端末にＭ（Ｍ≦Ｎ）個のＤＬ  ＣＣを割り当てることができる。ここで、端末は、Ｍ個の制限されたＤＬ  ＣＣのみをモニターし、ＤＬ信号を受信することができる。また、ネットワークは、Ｌ（Ｌ≦Ｍ≦Ｎ）個のＤＬ  ＣＣに優先順位を与えて主なＤＬ  ＣＣを端末に割り当てることができ、このような場合、ＵＥは、Ｌ個のＤＬ  ＣＣを必ずモニターしなければならない。このような方式は、アップリンクの送信にも同一に適用されることができる。
【０１０３】
ダウンリンクリソースの搬送波周波数（又は、ＤＬ  ＣＣ）とアップリンクリソースの搬送波周波数（又は、ＵＬ  ＣＣ）の間のリンケージ（linkage）は、ＲＲＣメッセージのような上位層メッセージやシステム情報により指示されることができる。例えば、ＳＩＢ２（System Information Block Type2）により定義されるリンケージによりＤＬリソースとＵＬリソースの組み合わせが構成されることができる。具体的に、リンケージは、ＵＬグラントを運ぶＰＤＣＣＨが送信されるＤＬ  ＣＣと、前記ＵＬグラントを使用するＵＬ  ＣＣとの間のマッピング関係を意味することができ、ＨＡＲＱのためのデータが送信されるＤＬ  ＣＣ（又は、ＵＬ  ＣＣ）とＨＡＲＱ ＡＣＫ／ＮＡＣＫ信号が送信されるＵＬ  ＣＣ（又は、ＤＬ  ＣＣ）との間のマッピング関係を意味することもできる。
【０１０４】
端末が１つ以上のＳセルが設定されると、ネットワークは、設定されたＳセル（ら）を活性化（activate）又は非活性化（deactivate）する。Ｐセルは、常に活性化される。ネットワークは、活性／非活性（Activation/Deactivation）ＭＡＣ制御要素（MAC control element）を送信することにより、Ｓセル（ら）を活性化又は非活性化する。
【０１０５】
活性化／非活性ＭＡＣ制御要素は固定サイズを有し、７つのＣフィールド（C-field）と１つのＲフィールド（R-field）を含む単一のオクテット（octet）で構成される。Ｃフィールドは、各Ｓセルインデックス（SCell Index）別に構成され、Ｓセルの活性／非活性の状態を示す。Ｃフィールド値が「１」にセッティングされると、該当Ｓセルインデックスを有するＳセルの活性化を示し、「０」にセッティングされると、該当Ｓセルインデックスを有するＳセルの非活性化を示す。
【０１０６】
また、端末は、設定されたＳセル別にタイマー（ｓＣｅｌｌＤｅａｃｔｉｖａｔｉｏｎＴｉｍｅｒ）を維持し、タイマーの満了時に関連したＳセルを非活性化する。同一の初期タイマー値がタイマー（ｓＣｅｌｌＤｅａｃｔｉｖａｔｉｏｎＴｉｍｅｒ）の各インスタンス（instance）に適用され、ＲＲＣシグナリングにより設定される。Ｓセル（ら）が追加されるとき又はハンドオーバー以後、初期Ｓセルは非活性化の状態である。
【０１０７】
端末は、各ＴＴＩにおいて、それぞれの設定されたＳセル（ら）に対して以下のような動作を行う。
【０１０８】
−端末が特定ＴＴＩ（サブフレームｎ）においてＳセルを活性化する活性／非活性ＭＡＣ制御要素を受信すると、端末は、定められたタイミングに該当するＴＴＩ（サブフレームｎ＋８又はその以後）においてＳセルを活性化し、該当Ｓセルに関連するタイマーを（再）開始させる。端末がＳセルを活性化するとは、端末がＳセル上でＳＲＳ（Sounding  Reference  Signal）送信、ＳセルのためのＣＱＩ（Channel  Quality  Indicator）／ＰＭＩ（Precoding  Matrix  Indicator）／ＲＩ（Rank  Indication）／ＰＴＩ（Precoding  Type  Indicator）報告、Ｓセル上でＰＤＣＣＨモニタリング、ＳセルのためのＰＤＣＣＨモニタリングのような一般Ｓセル動作を適用することを意味する。
【０１０９】
−端末が特定ＴＴＩ（サブフレームｎ）においてＳセルを非活性化する活性／非活性ＭＡＣ制御要素を受信するか、又は特定ＴＴＩ（サブフレームｎ）において活性化されたＳセルに関連したタイマーが終了すると、端末は、定められたタイミングに該当するＴＴＩ（サブフレームｎ＋８又はその以後）においてＳセルを非活性化し、該当Ｓセルのタイマーを中断し、該当Ｓセルに関連する全てのＨＡＲＱバッファを空にする（flush）。
【０１１０】
−活性化されたＳセル上のＰＤＣＣＨがアップリンクグラント（uplink grant）又はダウンリンク承認（downlink assignment）を示すか、又は活性化されたＳセルをスケジュールするサービングセル上のＰＤＣＣＨが活性化されたＳセルのためのアップリンクグラント（uplink grant）又はダウンリンク承認（downlink assignment）を示すと、端末は当該Ｓセルに関連するタイマーを再開始する。
【０１１１】
−Ｓセルが非活性化すると、端末はＳセル上でＳＲＳを送信せず、ＳセルのためのＣＱＩ／ＰＭＩ／ＲＩ／ＰＴＩを報告せず、Ｓセル上でＵＬ−ＳＣＨを送信せず、Ｓセル上でＰＤＣＣＨをモニターしない。
【０１１２】
前述したキャリア併合に関する内容は、ＬＴＥ／ＬＴＥ−Ａシステムを基準に説明されているが、これは、説明の便宜のためのものに過ぎず、５Ｇ  ＮＲシステムにも同一又は類似に拡張して適用されることができることは言うまでもない。特に、５Ｇ  ＮＲシステムにおいて考慮できるキャリア併合配置シナリオは図７のようである。
【０１１３】
図７は、ＮＲシステムにおいてキャリア併合を考慮した配置シナリオ（deployment scenarios）の例を示す。
【０１１４】
図７に示すように、Ｆ１及びＦ２はそれぞれ第１周波数（又は、第１周波数バンド、第１キャリア周波数、第１中心周波数）に設定されたセル及び第２周波数（又は、第２周波数バンド、第２キャリア周波数、第２中心周波数）に設定されたセルを意味し得る。
【０１１５】
図７の（ａ）は、第１ＣＡ配置シナリオを示す。図７の（ａ）に示すように、Ｆ１セルとＦ２セルは同一の位置に存在（co-located、overlaid）し得る。この場合、２つのレイヤ（layer）は全て十分なカバレッジ（coverage）を提供し、２つのレイヤにおいての移動性（mobility）がサポートされる。該当シナリオは、Ｆ１セルとＦ２セルが同一の帯域（band）に存在する場合を含んでもよい。該当シナリオでは、重畳されたＦ１セル及びＦ２セル間には併合（aggregation）が可能であると期待される。
【０１１６】
図７の（ｂ）は、第２ＣＡ配置シナリオを示す。図７の（ｂ）に示すように、Ｆ１セルとＦ２セルは同一の位置に存在し得る、Ｆ２セルはより大きな経路損失（path loss）によりさらに小さなカバレッジをサポートすることもできる。この場合、Ｆ１セルのみが十分なカバレッジを提供し、Ｆ２セルは処理量（throughput）を改善するために利用されることができる。ここで、移動性は、Ｆ１セルのカバレッジに基づいて行われることができる。該当シナリオは、Ｆ１セルとＦ２セルが異なる帯域（例えば、Ｆ１セルは｛８００ＭＨｚ、２ＧＨｚ｝、Ｆ２セルは｛３．５ＧＨｚ｝）に存在する場合を含むことができる。該当シナリオでは、重畳されたＦ１セル及びＦ２セル間には併合（aggregation）が可能性であると期待される。
【０１１７】
図７の（ｃ）は、第３ＣＡ配置シナリオを示す。図７の（ｃ）に示すように、Ｆ１セル及びＦ２セルは同一の位置に存在するが、セル境界の処理量を増加させるようにＦ２セルのアンテナはＦ２セルの境界に連結されることができる。この場合、Ｆ１セルは十分なカバレッジを提供するが、Ｆ２セルは潜在的にさらに大きな経路損失などによる空白（hole）を有することができる。ここで、移動性はＦ１セルのカバレッジに基づいて行われる。該当シナリオは、Ｆ１セルとＦ２セルが異なる帯域（例えば、Ｆ１セルは｛８００ＭＨｚ、２ＧＨｚ｝、Ｆ２セルは｛３．５ＧＨｚ｝）に存在する場合を含む。該当シナリオにおいては、同一の基地局（ｅＮＢ）のＦ１セル及びＦ２セルはカバレッジが重畳される領域において併合（aggregation）が可能であると期待される。
【０１１８】
図７の（ｄ）は、第４ＣＡ配置シナリオを示す。図７の（ｄ）に示すように、Ｆ１セルはマクロカバレッジ（macro coverage）を提供し、Ｆ２遠隔無線ヘッド（remote radio heads：ＲＲＨｓ）は、ホットスポット（hot spot）での処理量の改善のために利用される。ここで、移動性はＦ１セルのカバレッジに基づいて行われる。該当シナリオは、Ｆ１セル及びＦ２セルが同一の帯域（例えば、１．７ＧＨｚなど）においてＤＬ非連続的なキャリア（DL non-contiguous carrier）に該当する場合及びＦ１セルとＦ２セルが異なる帯域（例えば、Ｆ１セルは｛８００ＭＨｚ、２ＧＨｚ｝、Ｆ２セルは｛３．５ＧＨｚ｝）に存在する場合を全て含む。該当シナリオにおいて、Ｆ２セル（すなわち、ＲＲＨｓ）は自分と接続された（underlying）Ｆ１セル（すなわち、マクロセル）（ら）と併合が可能であると期待される。
【０１１９】
図７の（ｅ）は、第５ＣＡ配置シナリオを示す。該当シナリオは、前述した第２ＣＡ配置シナリオと類似するが、キャリア周波数のうち１つに対するカバレッジが拡張できるように周波数選択型中継器（frequency selective repeater）が配置されることができる。該当シナリオにおいては、同一の基地局のＦ１セル及びＦ２セルはカバレッジが重畳される領域において併合が可能であると期待される。
【０１２０】
相異なるサービングセルによるものであるが、同一のＴＴＩに対するＵＬグラント（UL grants）及びＤＬ割り当て（DL assignments）の物理層（physical layer）における（例えば、制御シンボルの数、伝播（propagation）及び配置シナリオに依存する）受信タイミング差（reception timing difference）はＭＡＣ動作に影響を与えないことがある。端末は、イントラバンド（intra-band）非連続的ＣＡ及びインターバンド（inter-band）非連続的ＣＳの両方ともにおいて併合されるＣＣのうち３０ｕｓまでの相手伝播遅延差（relative propagation delay difference）を処理する必要があり得る。これは、基地局の時間整列（time alignment）が最大０．２６ｕｓに特定されるため、端末が受信機においてモニターされるＣＣのうち３０．２６ｕｓまでの遅延スプレッド（delay spread）を処理する必要があるということを意味し得る。また、これは、端末が多数のＴＡＧを有するインターバンド（inter-band）ＣＡに対して３６．３７ｕｓのＴＡＧ間の最大アップリンク送信タイミング差（maximum uplink transmission timing difference）を処理しなければならないということを意味する。
【０１２１】
ＣＡが配置される場合、フレームタイミング（frame timing）及びＳＦＮ（System Frame Number）は、併合されたセルにわたって整列される。
【０１２２】
ＬＴＥ  ＰＲＡＣＨ（Physical Random Access Channel）
【０１２３】
表４は、現在ＬＴＥにおいてサポートするＰＲＡＣＨフォーマットの一例を示す。
【０１２４】
表４に示すように、現在ＬＴＥにおいてサポートする最大セル半径（cell radius）は１００．２ｋｍである。
【０１２５】
ＬＴＥネットワークを利用したインバンドオペレーション（in-band operation）のためには少なくとも同一レベルのセル半径（cell radius）サポートが必要である。
【０１２６】
【表４】
2020533888.tif 000042
【０１２７】
ＬＴＥは以下のように４−ｓｔｅｐの競争ベース（contention-based）ＲＡＣＨ手順（procedure）をサポートする。
【０１２８】
（1-step）Ｍｓｇ１：ＲＡプリアンブル送信 
【０１２９】
（2-step）Ｍｓｇ２：ＲＡＲ（random access response）（TA command、msg3 scheduling）
【０１３０】
（3-step）Ｍｓｇ３：ＲＡメッセージ（RRC connection request、UE id）
【０１３１】
（4-step）Ｍｓｇ４：競争解決（contention resolution）メッセージ（RRC connection setup、UE id）
【０１３２】
Ｍｓｇ４以後の動作は、ｍｓｇ４に対するＨＡＲＱ−ＡＣＫ、ＵＥ  ｉｄを含むＲＲＣ  ｃｏｎｎｅｃｔｉｏｎ  ｓｅｔｕｐ  ｃｏｍｐｌｅｔｅ  ｍｅｓｓａｇｅ送信などで行われる。
【０１３３】
ＮＲ（new radio）システムにおいて考慮する使用例シナリオ（use case scenario）（ｅＭＢＢ、ｍＭＴＣ、ＵＲＬＬＣ、Ｖ２Ｘ）と多様な周波数バンド（frequency band）での配置（deployment）を考慮して、ＮＲはコンポーネントキャリア（component carrier：ＣＣ）別に多様なヌメロロジー（numerology）をサポートする。
【０１３４】
ここで、ヌメロロジー（numerology）は、サブキャリア間隔（subcarrier spacing：ＳＣＳ）と巡回プレフィックス（cyclic prefix：ＣＰ）をいう。
【０１３５】
本明細書は、ヌメロロジー（numerology）がＣＣ別に及び／又はＣＣ間に異なるＮＲ  ＣＡ（carrier aggregation）状況において、ＴＡ（timing adjustment）をサポートする方法を提供する。
【０１３６】
本明細書で用いられる「Ａ及び／又はＢ」と「Ａそして／又はＢ」は、「Ａ又はＢのいずれか１つを含む」と同一の意味として解釈されることができる。
【０１３７】
ＴＡは、ｔｉｍｅ  ａｄｊｕｓｔｍｅｎｔ又はｔｉｍｉｎｇ  ａｄｖａｎｃｅと表現されてもよい。
【０１３８】
Ｔｉｍｉｎｇ ａｄｖａｎｃｅ（ＴＡ）は、基地局（例えば、ｅＮＢ）において直交アップリンク／ダウンリンク送信／受信（orthogonal uplink/downlink transmission/reception）のために、すなわち、アップリンクスロット（又は、サブフレーム）とダウンリンクスロット（又は、サブフレーム）の同期を合わせるためにＵＥがアップリンク送信時に印加するタイミングオフセットをいう。
【０１３９】
ＮＲは、図７のＣＡ配置シナリオ４（ＨｅｔＮｅｔ）などをサポートするために多数のｔｉｍｉｎｇ  ａｄｖａｎｃｅ  ｇｒｏｕｐ（ＴＡＧ）、すなわちｍｕｌｔｉｐｌｅ  ＴＡＧを設定し、ＴＡＧ別に相異なるＴＡを適用してｕｐｌｉｎｋ送信を行うことができる。
【０１４０】
ＴＡＧは、少なくとも１つのｃｅｌｌ（又は、ＣＣ）を含んでもよい。
【０１４１】
ＴＡＧのうちＰＣｅｌｌを含むＴＡＧをｐＴＡＧ、ＳＣｅｌｌのみで構成されたＴＡＧをｓＴＡＧと表現する。
【０１４２】
初期ｐＴＡＧに対するｉｎｉｔｉａｌ  ｔｉｍｉｎｇ情報はランダムアクセス（random access：ＲＡ）手順により取得される。
【０１４３】
以後、ｓＴＡＧに対するタイミング情報は、ＲＲＣ−ＣＯＮＮＥＣＴＥＤ状態においてＮＰＤＣＣＨ（narrowband PDCH）オーダー（order）による非競争（contention-free）ＲＡ手順により取得できる。
【０１４４】
すなわち、本明細書は、ＮＲ  ＣＡにおいてＴＡ又はｍｕｌｔｉｐｌｅ  ＴＡをサポートするための各種の要求事項（requirement）、ＴＡ細分性（granularity）、そしてＴＡの最大値を決定する方法を提供する。
【０１４５】
以下、様々な実施形態により本明細書の提案方法について説明する。
【０１４６】
（第１実施形態）
【０１４７】
第１実施形態は、最大ＤＬ受信タイミング差要求事項（Max DL receive timing difference requirement）を決定する方法に関する。
【０１４８】
ＮＲ  ＣＡにおいて、ダウンリンクＣＣ間の受信タイミング差（receive timing difference）は、ＵＥの受信バッファ（receive buffer）、遅延（latency）、最大（max）ＴＡなどに影響を与える。ここで、ｍａｘ  ＴＡはＴＡの最大値を意味する。
【０１４９】
すなわち、第１実施形態は、受信機バッファサイズ（buffer size）の負担、遅延（latency）を減らすために、又は、ｍａｘ  ＴＡを考慮して最大ＤＬ受信タイミング差要求事項（Max DL receive timing difference requirement）を決定する方法について説明する。
【０１５０】
そして、前記最大ＤＬ受信タイミング差要求事項（Max DL receive timing difference requirement）は、以下の多様な方法（方法１ないし方法３）に基づいて決定される。
【０１５１】
（方法１）
【０１５２】
方法１は、受信バッファ要求事項（Receive buffer requirement）を考慮して、前記最大ＤＬ受信タイミング差要求事項（Max DL receive timing difference requirement）を決定する方法である。
【０１５３】
例えば、ＣＣ１から受信するダウンリンク制御（downlink control）信号がＣＣ２から受信するダウンリンクデータ（downlink data）に比べて過度に遅延する場合、端末は、制御データを処理する前まで、データをバッファリング（buffering）しなければならない負担があり得る。
【０１５４】
このような場合、前記最大ＤＬ受信タイミング差要求事項（Max DL receive timing difference requirement）は、ＤＬ受信バッファサイズ（DL receive buffer size）を基準に決定される。
【０１５５】
ここで、ＣＰオーバーヘッド（overhead）が同一であり、ＵＥの受信帯域幅（receive bandwidth）が同一である場合、ＣＣ２から受信するデータはＳＣＳ（subcarrier spacing）に関係なく送信データレートが同一である。
【０１５６】
従って、前記ＤＬ受信バッファ要求事項（DL receive buffer requirement ）はＳＣＳに関係なく同一になる。
【０１５７】
ＣＰオーバーヘッド（overhead）が異なる場合、ＣＰを除いた有効データレートが異なるため、受信機のＤＬ受信バッファ要求（DL receive buffer requirement）が異なるように設定される。
【０１５８】
例えば、拡張ＣＰ（extended CP）である場合、ＣＰオーバーヘッド（CP overhead）が一般ＣＰ（normal CP）より大きいため、実際端末のＤＬ受信バッファ要求事項（DL receive buffer requirement）は減少する。
【０１５９】
ＤＬ受信バッファサイズ（DL receive buffer size）をＵＥ能力（capability）と規定する場合、各ＤＬ受信バッファサイズ（DL receive buffer size）の限度内でサポートできるそれぞれの最大ＤＬ受信タイミング差要求事項（Max DL receive timing difference requirement）を決定し、ＵＥ能力（capability）により決定された最大ＤＬ受信タイミング差要求事項（Max DL receive timing difference requirement）に相応する最大ＤＬ受信タイミング差要求事項（Max DL receive timing difference requirement）が使用できるようにすることができる。
【０１６０】
または、ＤＬ受信バッファサイズ（DL receive buffer size）の最小要求事項（minimum requirement）を規定し、前記最小要求事項（minimum requirement）に該当するＤＬ受信バッファがサポートできる最大ＤＬ受信タイミング差（receive timing difference）値として最大ＤＬ受信タイミング差要求事項（Max DL receive timing difference requirement）を決定して、ＵＥ共通（UE common）に使用するようにすることができる。
【０１６１】
または、１つ又は多数のＴＡＧ（ｓ）内でサポートするＤＬ受信バッファ要求事項（DL receive buffer requirement）の最小値を基準に最大ＤＬ受信タイミング差要求事項（Max DL receive timing difference requirement）が決定され、当該値はＵＥ共通（UE common）に使用されることができる。
【０１６２】
ＤＬ受信帯域幅（DL receive bandwidth）が増加する場合、データレートが増加するため、同一のＤＬ受信タイミング差（DL receive timing difference）をサポートするためのＤＬ受信バッファ要求事項（DL receive buffer requirement）は増加する。
【０１６３】
従って、最大ＤＬ受信タイミング差要求事項（Max DL receive timing difference requirement）の決定のとき、ＤＬ受信帯域幅（DL receive bandwidth）が考慮されなければならない。
【０１６４】
例えば、同一最大ＤＬ受信タイミング差要求事項（Max DL receive timing difference requirement）において、ＤＬ受信帯域幅（DL Receive bandwidth）がＮ倍増すると、ＤＬ受信バッファ要求事項（DL receive buffer requirement）もＮ倍増する。
【０１６５】
従って、最大ＤＬ受信タイミング差要求事項（Max DL receive timing difference requirement）は、ＤＬ受信バッファサイズ（DL receive buffer size）及び／又は、ＤＬ受信帯域幅（DL receive bandwidth）Ｘ及び／又はＣＰオーバーヘッド（overhead）を考慮して次のように決定できる。
【０１６６】
「ＤＬ受信帯域幅（receive bandwidth）Ｘ、ＤＬ受信バッファサイズ（receive buffer size）ＹをサポートするＵＥに対して、ＣＰオーバーヘッドがＣである場合、最大ＤＬ受信タイミング差（max DL receive timing difference）はＺである。」
【０１６７】
ここで、ＤＬ受信帯域幅（DL receive bandwidth）は、動作の便宜上、端末においてサポートする最大ＤＬ受信帯域幅（receive bandwidth）又は当該ＣＣにおいてサポートする最大受信帯域幅（receive bandwidth）などを意味し得る。
【０１６８】
ＤＬ受信バッファサイズ（DL receive buffer size）は、当該ＣＣにおいて設定（configure）できる最小ＤＬ受信バッファサイズ（DL receive buffer size）、又は最小ＤＬ受信バッファ要求事項（minimum DL receive buffer requirement）などを意味し得る。
【０１６９】
ＣＰオーバーヘッドは、代表的に使用されるＣＰオーバーヘッドに該当する一般（normal）ＣＰ、又はＣＰオーバーヘッドが最大である拡張ＣＰ（extended CP）を意味し得る。
【０１７０】
例えば、一般ＣＰが、拡張ＣＰより、同一のＤＬ受信バッファサイズ（DL receive buffer size）下でより小さい最大ＤＬ受信タイミング差（max DL receive timing difference）をサポートすることができる。
【０１７１】
従って、一般ＣＰと拡張ＣＰを同時にサポートするために一般ＣＰ基準に最大ＤＬ受信タイミング差（max DL receive timing difference）が決定されてもよい。
【０１７２】
（方法２）
【０１７３】
方法２は、遅延要求事項（latency requirement）を考慮して前記最大ＤＬ受信タイミング差要求事項（Max DL receive timing difference requirement）を決定する方法である。
【０１７４】
ダウンリンク制御とダウンリンクデータ間のＤＬタイミング差によりダウンリンク制御受信時点からデータデコード完了時点までの時間は遅延される可能性がある。
【０１７５】
従って、遅延（latency）が重要なサービスに対して遅延要求事項（latency requirement）により最大ＤＬ受信タイミング差要求事項（Max DL receive timing difference requirement）が制限される可能性がある。
【０１７６】
（方法３）
【０１７７】
方法３は、最大ＴＡ要求事項（Max TA requirement）を考慮して前記最大ＤＬ受信タイミング差要求事項（Max DL receive timing difference requirement）を決定する方法である。
【０１７８】
ダウンリンク制御（Downlink control）の受信後、ＵＥはダウンリンク制御デコーディング（downlink control decoding）、アップリンクデータ（uplink data）準備、又はダウンリンクデータデコード（downlink data decoding）後（必要な場合、ＨＡＲＱ−ＡＣＫ準備）アップリンク送信などの動作を行う。
【０１７９】
アップリンク送信時、ＵＥはＴＡを適用することになる。
【０１８０】
ここで、端末は、ＴＡを考慮してアップリンク送信の準備を完了しなければならないため、ＴＡの分だけ実質的にアップリンク送信のために可用なＵＥプロセシング時間は低減する。
【０１８１】
Ｍａｘ  ＴＡの状況においても可用なＵＥプロセシング時間を確保するために最大ＤＬ受信タイミング差（max DL receive timing difference）が制限される可能性がある。
【０１８２】
（第２実施形態）
【０１８３】
次に、第２実施形態は、最大ＵＬ送信タイミング差要求事項（Max UL transmit timing difference requirement）を決定する方法に関する。
【０１８４】
ＮＲにおいてＣＡ配置シナリオ（deployment scenario）４（ＨｅｔＮｅｔ）などをサポートするためにｍｕｌｔｉｐｌｅ  ＴＡＧを設定してＴＡＧ別に相異なるＴＡを適用してアップリンク送信を行うことができる。
【０１８５】
このとき、相異なるＴＡＧで送信される（例えは、ｐＴＡＧとｓＴＡＧで送信される）、アップリンク送信間の送信タイミング（transmit timing）が異なる場合、２つのスロットの開始点及び／又は終端点が整列（align）されないとともに、電力割り当て（power allocation）の側面で問題が発生する可能性がある。
【０１８６】
このようなＵＬ送信タイミング差（UL transmit timing difference）による電力割り当て（power allocation）問題による影響は、与えられたＵＬ送信タイミング差（UL transmit timing difference）下で、スロット長が短い場合（例えば、ＳＣＳが大きい場合）、より深刻になる。
【０１８７】
例えば、ＳＣＳがＮ倍に増加してスロット長さが１／Ｎ倍になると、スロット内の前記電力割り当て（power allocation）問題により影響を受ける割合はＮ倍増加する。
【０１８８】
以下、最大ＵＬ送信タイミング差要求事項（Max UL transmit timing difference requirement）を決定する様々な方法について説明する。
【０１８９】
（方法１）
【０１９０】
方法１は、最大ＳＣＳ基準に最大ＵＬ送信タイミング差要求事項（Max UL transmit timing difference requirement）を設定することである。
【０１９１】
前述したように、スロット長さが減少すると、電力割り当ての問題による影響が深刻になる。
【０１９２】
従って、このような問題点を防止するために、すなわち、ヌメロロジー（numerology）に関係なくスロット内の電力割り当て問題による影響を一定の割合に維持しようとする場合、最大ＵＬ送信タイミング差要求事項（max UL transmit timing difference requirement）が最大ＳＣＳ基準に設定されるようにする。
【０１９３】
最大ＳＣＳ別に設定される最大ＵＬ送信タイミング差要求事項（max UL transmit timing difference requirement）の値は、最大ＳＣＳの大きさに反比例する関係を有する値であり得る。
【０１９４】
例えば、最大ＳＣＳが１５＊ＮｋＨｚである場合、最大ＵＬ送信タイミング差要求事項（max UL transmit timing difference requirement）値は、前記最大ＳＣＳが１５ｋＨｚである場合の最大ＵＬ送信タイミング差要求事項（max UL transmit timing difference requirement）値に比べて１／Ｎ倍であり得る。
【０１９５】
ここで、最大ＳＣＳは、当該システム又は周波数バンド（frequency band）又は中心周波数（center frequency）又はＴＡＧ又はＣＣにおいてサポートする全てのＳＣＳ値のうち最大値であり得る。
【０１９６】
参考として、最大ＵＬ送信タイミング差要求事項（max UL transmit timing difference requirement）値と（最大）ＳＣＳとの関係が標準文書にテーブル形態で記載されることができ、この場合、前述した内容が適用されることができる。
【０１９７】
ＴＡＧ又はＣＣにおいてサポートする最大ＳＣＳは、設定（configured）されたＴＡＧ又はＣＣであるか、実際ＵＬ送信を行う活性化（activated）ＴＡＧ又はＣＣであり得る。
【０１９８】
（方法２）
【０１９９】
方法２は、固定された特定値と最大ＵＬ送信タイミング差要求事項（max UL transmit timing difference requirement）を決定することである。
【０２００】
すなわち、方法２は、ＳＣＳに関係なく、最大ＵＬ送信タイミング差要求事項（max UL transmit timing difference requirement）として固定された値を使用することである。
【０２０１】
言い換えると、特定ＳＣＳを基準に（例えば、１５ｋＨｚのＳＣＳを基準に）、最大ＵＬ送信タイミング差要求事項（max UL transmit timing difference requirement）が決定され、これを実際に使用するヌメロロジー（numerology）に関係なく適用することである。
【０２０２】
方法２は、スロット内の電力割り当て問題による影響を一定割合に維持する必要がない場合に適用することができる。
【０２０３】
例えば、ＳＣＳがＮ倍に増加してスロット長さが１／Ｎ倍になる場合であるが、１つのＴＢがＮ個のスロットに均等にわたって送信され、ＵＥは多数のスロットにわたって送信された１つのＴＢを再び集めてデコードすることができる。
【０２０４】
この場合、１つのＴＢに対して電力割り当て問題により影響を受ける割合が一定であるため、方法２は、前述した方法１のようにスロット内の電力割り当ての問題による影響を一定割合に維持する必要がない。
【０２０５】
１つのＴＢがＮ個のスロットに均等にわたって送信される場合の例として、スロット併合（slot aggregation）やマルチスロットスケジューリング（multi-slot scheduling）がある。
【０２０６】
（方法３）
【０２０７】
方法３は、スケジューリング方法によって方法１又は方法２のうち１つを選択することである。
【０２０８】
すなわち、方法３は、スロット併合又はマルチスロットスケジューリングであるかどうかによって方法１又は方法２を決定する。
【０２０９】
例えば、スロット併合やマルチスロットスケジューリングを設定（configure）した場合は方法１が決定され、そうでない場合は方法２が決定される。
【０２１０】
または、逆に、方法１又は方法２と連動してスロット併合又はマルチスロットスケジューリングが設定（configure）されることができる。
【０２１１】
例えば、方法１が設定されると、シングルスロットスケジューリング（single-slot scheduling）とスロット併合又はマルチスロットスケジューリング（multi-slot scheduling）の全てが選択可能になり得る。
【０２１２】
または、方法２が設定されると、特定スロットが電力割り当て問題による影響を多く受ける可能性があるため、スロット併合又はマルチスロットスケジューリングのみが選択されるように制限されてもよい。
【０２１３】
ここで、シングルスロットスケジューリング（single-slot scheduling）は１つのＴＢが１つのスロットに送信される一般的な場合をいう。
【０２１４】
前記スロット併合やマルチスロットスケジューリングは、１つのＴＢがＮ個のスロットに均等にわたって送信されるまた他の方法をいう。
【０２１５】
前記最大ＵＬ送信タイミング差要求事項（max UL transmit timing difference requirement）を決定する方法において、固定された最大ＵＬ送信タイミング差要求事項（max UL transmit timing difference requirement） の値が適用される場合、当該固定された値は標準文書に予め定義された固定値であるか、又は事前にＲＲＣ設定（configure）された値であり得る。
【０２１６】
（第３実施形態）
【０２１７】
次に、第３実施形態は、ＴＡ細分性（TA granularity）を決定する方法に関する。
【０２１８】
既存のＬＴＥの場合、ＴＡ細分性（TA granularity）は１６Ｔｓに固定されている。
【０２１９】
ここで、１Ｔｓ＝１／（３０．７２ＭＨｚ）≒０．０３２５μs．
【０２２０】
ＬＴＥ一般ＣＰの長さは１４４Ｔｓ（又は、１６０Ｔs）であるため、ＴＡ細分性（TA granularity）とＣＰの比率は、１６／１４４＝１／９である。
【０２２１】
すなわち、一般ＣＰ内に約９つのＴＡ調節単位が存在する。
【０２２２】
そして、ＬＴＥ  ＴＡ細分性（TA granularity）をそのまま使用すると仮定し、ＮＲにおいて１２０ｋＨｚサブキャリア間隔（subcarrier spacing）を使用する場合、ＴＡ細分性（TA granularity）とＣＰの割合は１６／１４４＊４＝４／９であり得る。
【０２２３】
すなわち、ＮＲは、ＣＰ内に約２つ程度のＴＡ調節単位が存在し得る。
【０２２４】
ＴＡ微細調節やＴＡ推定エラー（estimation error）などを考慮すると、ＮＲにおいてＴＡ細分性（TA granularity）に対する調整が必要である。
【０２２５】
ＴＡ細分性（TA granularity）は、ｓｉｎｇｌｅ  ＴＡＧである場合とｍｕｌｔｉｐｌｅ  ＴＡＧである場合に応じて次のような方法で決定できる。
【０２２６】
Ｓｉｎｇｌｅ  ＴＡＧである場合
【０２２７】
（方法１）ＴＡＧが単一ヌメロロジー（single numerology）で構成された場合である。
【０２２８】
（方法１−１）ＴＡ細分性（TA granularity）はＳＣＳ別に設定される。
【０２２９】
ＮＲにおいてＴＡＧが単一ヌメロロジー（single numerology）で構成される場合、ＴＡ細分性（TA granularity）はＳＣＳ別に設定される。
【０２３０】
ＳＣＳ別に設定されるＴＡ細分性（TA granularity）値は、ＳＣＳに反比例する値であり得る。
【０２３１】
例えば、ＴＡＧを構成するＳＣＳが１５ｋＨｚのＮ倍であると、ＴＡ細分性（TA granularity）は１５ｋＨｚのＴＡ細分性（TA granularity）に比べて１／Ｎ倍スケールダウン（scale down）して設定される。
【０２３２】
（方法２）ＴＡＧが混合ヌメロロジー（mixed numerology）で構成された場合である。
【０２３３】
この場合、ＴＡＧ内の最大ＳＣＳ基準にＴＡ細分性（TA granularity）が設定される。
【０２３４】
ＮＲにおいてＴＡＧが混合ヌメロロジー（mixed numerology）で構成される場合、すなわち、ＴＡＧ内に様々なＳＣＳを有するＣＣが存在する場合、そのうち最大ＳＣＳを基準にＴＡ細分性（TA granularity）が設定されることができる。
【０２３５】
例えば、ＴＡＧ内の最大のＳＣＳが１５ｋＨｚのＮ倍であると、ＴＡ細分性（TA granularity）は１５ｋＨｚのＴＡ細分性（TA granularity）に比べて１／Ｎ倍にスケールダウン（scale down）して設定される。
【０２３６】
Ｍｕｌｔｉｐｌｅ  ＴＡＧである場合
【０２３７】
（方法１）各ＴＡＧが単一ヌメロロジー（single numerology）で構成された場合である。
【０２３８】
（方法１−１）各ＴＡＧのＳＣＳ別にそれぞれＴＡ細分性（TA granularity）が設定される。
【０２３９】
ＮＲにおいてＭｕｌｔｉｐｌｅ  ＴＡＧを構成するそれぞれのＴＡＧが単一ヌメロロジー（single numerology）で構成される場合、各ＴＡＧ別に当該ＳＣＳに該当するＴＡ細分性（TA granularity）が設定される。
【０２４０】
ここで、各ＴＡＧ別にＴＡ細分性（TA granularity）が設定される方法として前述した（１）の方法が使用できる。
【０２４１】
（方法１−２）ｍｕｌｔｉｐｌｅ  ＴＡＧ内の最大ＳＣＳ基準にＴＡ細分性（TA granularity）が設定される。
【０２４２】
ＮＲにおいてＭｕｌｔｉｐｌｅ  ＴＡＧを構成するそれぞれのＴＡＧが単一ヌメロロジー（single numerology）で構成される場合、共通のＴＡ細分性（TA granularity）適用のために各ＴＡＧを構成するＳＣＳのうち最大値、（すなわち、最大ＳＣＳ）を基準にＴＡ細分性（TA granularity）が設定される。
【０２４３】
例えば、ＴＡＧ内の最大のＳＣＳが１５ｋＨｚのＮ倍であると、ＴＡ細分性（TA granularity）は１５ｋＨｚのＴＡ細分性（TA granularity）に比べて１／Ｎ倍にスケールダウン（scale down）して設定される。
【０２４４】
（方法２）各ＴＡＧが混合ヌメロロジー（mixed numerology）で構成された場合である。
【０２４５】
（方法２−１）各ＴＡＧの最大ＳＣＳ基準にそれぞれＴＡ細分性（TA granularity）が設定される。
【０２４６】
ＮＲにおいてｍｕｌｔｉｐｌｅ  ＴＡＧを構成するそれぞれのＴＡＧが混合ヌメロロジー（mixed numerology）で構成される場合、言い換えると、ＴＡＧ内に様々なＳＣＳを有するＣＣが存在する場合、各ＴＡＧ別に最大ＳＣＳ基準にＴＡ細分性（TA granularity）がそれぞれ設定される。各ＴＡＧ別に最大ＳＣＳ基準にＴＡ細分性（TA granularity）が設定される方法はｓｉｎｇｌｅ  ＴＡＧの場合の（方法２）を使用することができる。
【０２４７】
（方法２−２）ｍｕｌｔｉｐｌｅ  ＴＡＧ内の最大ＳＣＳ基準にＴＡ細分性（TA granularity）が設定される。
【０２４８】
ＮＲにおいてｍｕｌｔｉｐｌｅ  ＴＡＧを構成するそれぞれのＴＡＧが混合ヌメロロジー（mixed numerology）で構成される場合、すなわち、ＴＡＧ内に様々なＳＣＳを有するＣＣが存在する場合、共通のＴＡ細分性（TA granularity）適用のために各ＴＡＧを構成するＳＣＳのうち最大値、（すなわち、最大ＳＣＳ）を基準にＴＡ細分性（TA granularity）設定される。
【０２４９】
前記ＴＡ細分性（TA granularity）設定方法に固定された最大ＴＡ値又は、固定されたＴＡ細分性（TA granularity）値が適用される場合、当該固定された最大ＴＡ値やＴＡ細分性（TA granularity）値は、標準文書に予め定義される固定された値であるか、事前にＲＲＣ設定（configure）された値であり得る。
【０２５０】
（第４実施形態）
【０２５１】
次に、第４実施形態は最大ＴＡを決定する方法に関する。
【０２５２】
ＮＲにおいて最大ＴＡの設定方法は、ＴＡＧが単一ヌメロロジー（single numerology）で構成される場合と混合ヌメロロジー（mixed numerology）で構成される場合とに区分できる。
【０２５３】
まず、ＴＡＧが 単一ヌメロロジー（single numerology）で構成された場合について説明する。
【０２５４】
ＴＡＧが単一ヌメロロジー（single numerology）で構成された場合、最大ＴＡの決定方法として次の３つの方法について説明する。
【０２５５】
（方法１）ＳＣＳ別に最大ＴＡが設定される方法である。
【０２５６】
ＳＣＳ別に設定される最大ＴＡ値は、ＳＣＳに反比例する関係を有するように設定される値であり得る。
【０２５７】
例えば、ＳＣＳが１５ｋＨｚのＮ倍であると、最大ＴＡは１５ｋＨｚの最大ＴＡ比べて１／Ｎ倍になるように設定される。
【０２５８】
この方法を使う場合、ＴＡ細分性（TA granularity）としてＳＣＳに関係なく固定された値が使われた場合、ＴＡＧの構成ＳＣＳ値によって最大ＴＡが増加又は減少する。
【０２５９】
そして、最大ＴＡが増加又は減少することによって、ＭＡＣ  ＲＡＲ及びＭＡＣ  ＣＥ  ＴＡ  ｃｏｍｍａｎｄ  ｂｉｔ  ｓｉｚｅが増加又は減少する。
【０２６０】
ここで、ＴＡ  ｃｏｍｍａｎｄ  ｂｉｔ  ｓｉｚｅをＳＣＳに関係なく固定するために、ＴＡ細分性（TA granularity）が最大ＴＡと同様の方法でＳＣＳに反比例する関係を有する値に設定される。
【０２６１】
（方法２）最大ＴＡが固定される方法である。
【０２６２】
この方法は、最大ＴＡ値をＴＡＧを構成するＳＣＳに関係なく固定された値に設定する方法である。
【０２６３】
固定された値は、既存のＬＴＥと同一の最大ＴＡをサポートするためにＬＴＥと同一の最大ＴＡに固定された値であり得る。
【０２６４】
ＴＡ細分性（TA granularity）は最大ＴＡとともに固定された値として使用できる。
【０２６５】
ここで、固定された値は設定可能な最大ＳＣＳ基準に設定された値であり得る。
【０２６６】
または、最大ＴＡは固定し、ＴＡ細分性（TA granularity）は前記ＳＣＳ別にＴＡ細分性（TA granularity）を決定する方法を適用して、ＳＣＳに応じて異なる設定値が使用されてもよい。
【０２６７】
ここで、ＭＡＣ  ＲＡＲ  ＴＡ  ｃｏｍｍａｎｄ  ｂｉｔ  ｓｉｚｅは、ＳＣＳに応じて増加又は減少する。
【０２６８】
例えば、ＳＣＳがN倍の増加をすると、最大ＴＡは固定であるが、ＴＡ細分性（TA granularity）が１／Ｎ倍に縮小され、これにより、ＭＡＣ  ＲＡＲ  ＴＡ  ｃｏｍｍａｎｄ  ｂｉｔ  ｓｉｚｅはｌｏｇ２（Ｎ）ｂｉｔの分だけ拡張される。
【０２６９】
（方法３）ハイブリッド最大ＴＡ（hybrid max TA）が設定される方法である。
【０２７０】
既存のＬＴＥと同一のネットワーク配置（network deployment）を使用する場合、ＣＣのＳＣＳが増加してもＬＴＥレベルの最大ＴＡをサポートすることが必要であり得る。
【０２７１】
この方法は、このような場合に初期ＴＡ（initial TA）に必要な最大ＴＡを固定された値に設定してＬＴＥレベルの最大ＴＡを有するようにする。
【０２７２】
そして、ＴＡトラッキング（tracking）状況での最大ＴＡは最大ＳＣＳ別に最大ＴＡを異なるように設定してＭＡＣ  ＣＥを効率的に運用できるようにすることができる。
【０２７３】
ＴＡトラッキング状況において、最大ＴＡはＳＣＳ及び／又はＣＰを考慮した値であり得る。
【０２７４】
例えば、前記最大ＴＡは、ＳＣＳに反比例する関係を有するように設定される値であり得る。
【０２７５】
次に、ＴＡＧが混合ヌメロロジー（mixed numerology）で構成された場合について説明する。
【０２７６】
ＴＡＧが混合ヌメロロジー（mixed numerology）で構成された場合、最大ＴＡの決定方法として次の３つの方法について説明する。
【０２７７】
（方法１）ＴＡＧ内の最小（min）ＳＣＳ基準に最大ＴＡが設定される方法である。
【０２７８】
この方法は、ＴＡＧを構成する多数のＳＣＳのうち、最小ＳＣＳ（min SCS）を基準に最大ＴＡが設定される。
【０２７９】
例えば、ＴＡＧ内にＬＴＥ  ＳＣＳの１５ｋＨｚのＳＣＳと１５ｋＨｚの整数倍に該当する１つ以上のＳＣＳが存在する場合、少なくともＬＴＥのレベルの最大ＴＡをサポートするようにする方法である。
【０２８０】
もし、最小ＳＣＳが１５ｋＨｚを超過する場合、その最小ＳＣＳに設定された最大ＴＡ値が適用される。
【０２８１】
最大ＳＣＳ別に適用される最大ＴＡ値は、ＳＣＳに反比例する関係を有するように設定される値であり得る。例えば、ＳＣＳが１５ｋＨｚのＮ倍であると、最大ＴＡは１５ｋＨｚの最大ＴＡに比べて１／Ｎ倍になるように設定される。
【０２８２】
（方法２）最大ＴＡが固定される方法である。
【０２８３】
この方法は、ＴＡＧを構成するＳＣＳに関係なく、固定された最大ＴＡ値が設定される方法である。固定された最大ＴＡ値は既存のＬＴＥと同一の最大ＴＡ値であり、また、ＮＲにおいて新たに定義する最大ＴＡ値であり得る。
【０２８４】
（方法３）ＴＡＧ内の最大ＳＣＳ基準に最大ＴＡが設定される方法である。
【０２８５】
この方法は、ＴＡＧを構成する多数のＳＣＳのうち最大ＳＣＳを基準に最大ＴＡを設定する方法である。ＮＲにおいてＴＡＧが混合ヌメロロジー（mixed numerology）で構成される場合、そのうち最大ＳＣＳを基準にＴＡ細分性（TA granularity）が設定される方法について説明した。
【０２８６】
関連して、ＴＡＧ内の最大のＳＣＳが１５ｋＨｚのＮ倍であると、ＴＡ細分性（TA granularity）は１５ｋＨｚのＴＡ細分性（TA granularity）に比べて１／Ｎ倍にスケールダウン（scale down）して設定することを例示した。
【０２８７】
１５ｋＨｚより大きいＳＣＳ（例えば、３０、６０、１２０ｋＨｚ）を含んだＴＡＧに対して既にＬＴＥより適切に縮小されたセル配置シナリオ（cell deployment scenario）を仮定できる場合、最大ＳＣＳを基準に最大ＴＡが設定される。
【０２８８】
ＴＡ細分性（TA granularity）と最大ＴＡの両方ともを最大ＳＣＳ基準に縮小する場合、最大ＳＣＳの値に関係なくＭＡＣ  ＣＥ  ＴＡ  ｃｏｍｍａｎｄ  ｂｉｔ  ｓｉｚｅは同一に維持され、同一ｂｉｔ  ｓｉｚｅで表現されたＴＡ  ｃｏｍｍａｎｄの整数値は最大ＳＣＳ値に応じてスケールして解釈する形態となる。
【０２８９】
例えば、最大ＳＣＳがＮ倍であると、ＴＡ  ｃｏｍｍａｎｄの整数値は１／Ｎを乗算して実際ＴＡ値として適用する形態であり得る。
【０２９０】
前記最大ＴＡの設定方法に固定された最大ＴＡ値や固定されたＴＡ細分性（TA granularity）値が適用される場合、当該固定された最大ＴＡ値やＴＡ細分性（TA granularity）値は、標準文書に予め定義される固定された値であるか、事前にＲＲＣ設定（configure）された値であり得る。
【０２９１】
（第５実施形態）
【０２９２】
次に、第５実施形態は、前述したＤＬバッファリング及びＵＬ電力制御に制限（restriction）を設定することである。
【０２９３】
最大ＤＬ受信タイミング差（Max DL receive timing difference）はＵＥ  ＤＬ受信バッファサイズ（receive buffer size）により制限される。
【０２９４】
ＤＬ受信バッファサイズ（receive buffer size）が大きいＵＥはサポート可能な最大ＤＬ受信タイミング差（max DL receive timing difference）が拡張され、これによって、ＤＬ  ＣＡ可能なＣＣの組み合わせが多くなり得る。
【０２９５】
これに関連して、ＮＲ  ＣＡにおいて次のような制限（restriction）が考慮されることができる。
【０２９６】
−ＤＬ受信バッファサイズ（receive buffer size）がＸ以下又は未満であるＵＥに対して、ＤＬ受信タイミング差（DL receive timing difference）が Ｙｕｓ以上又はＹｕｓを超過するＣＣ間のＤＬ  ＣＡを制限する。または、当該ＤＬ  ＣＣの１つのみをスケジュールする。
【０２９７】
ここで、ＤＬ受信バッファサイズ（receive buffer size）はＵＥ能力（capability）の形態でｅＮＢに報告（report）されるものであるか、又は、最大ＤＬ受信タイミング差要求事項（max DL receiver timing difference requirement）を満足させるために全てのＵＥが義務的に備えなければならない最小限のＤＬ受信バッファサイズ（receive buffer size）であり得る。
【０２９８】
そして、前記最大ＤＬ受信タイミング差（Max DL receive timing difference）は、またＵＥ  ＤＬ受信帯域幅（receive bandwidth）により制限される。
【０２９９】
ＤＬ受信帯域幅（receive bandwidth）が大きい場合、サポート可能な最大ＤＬ受信タイミング差（max DL receive timing difference）が減少し、これによって、ＤＬ  ＣＡ可能なＣＣの組み合わせが制限される。これに関連して、ＮＲ  ＣＡにおいて次のような制限（restriction）が考慮される。
【０３００】
−ＤＬ受信帯域幅（receive bandwidth）がＸＭＨｚ以上又は超過するＵＥに対してＤＬ受信タイミング差（DL receive timing difference）がＹｕｓ以上又はＹｕｓを超過するＣＣ間のＤＬ  ＣＡを制限する。または、当該ＤＬ  ＣＣのうち１つのみをスケジュールする。
【０３０１】
ここで、ＵＥ  ＤＬ受信帯域幅（receive bandwidth）は、設定された（configured）ＤＬ帯域幅であるか、又は実際にＤＬデータを受信している活性化したＤＬ帯域幅（activated DL bandwidth）であるか、又は当該周波数バンド（frequency band）が提供する最大ＤＬ帯域幅であるか、又はＵＥが受信できる最大ＤＬ帯域幅であり得る。
【０３０２】
次に、最大ＵＬ送信タイミング差（Max UL transmit timing difference）は、前述した電力割り当て（power allocation）時の問題点により制限されることがあるが、サポート可能な最大ＵＬ送信タイミング差（max UL transmit timing difference）は最大ＳＣＳが大きいほど小さくなる。
【０３０３】
従って、ＵＬ  ＣＡ可能なＣＣの組み合わせが制限されることがある。これに関連して、ＮＲ  ＣＡにおいて次のような制限（restriction）が考慮される。
【０３０４】
−最大ＵＬ送信タイミング差（Max UL transmit timing difference）又は２つのＴＡＧ間のＴＡ差（TA difference）がＸｕｓ以上又は超過するＣＣ間のＵＬ  ＣＡを制限する。または、当該ＵＬ送信のうち１つをドロップ（drop）する。
【０３０５】
ＵＬ送信のうち１つをドロップしなければならない場合、ｐＴＡＧとｓＴＡＧに対するＵＬ  ＣＡである場合、ｓＴＡＧをまずドロップする。
【０３０６】
全てｓＴＡＧのみで構成されている場合、ＴＡＧ  ｉｄの順序によりドロップ順位が決定される。
【０３０７】
例えば、ＴＡＧ  ｉｄ値が大きいＴＡＧが優先ドロップされる。
【０３０８】
サポート可能な最大ＵＬ送信タイミング差（max UL transmit timing difference）は最大ＳＣＳ別に設定された値であるか、最大ＳＣＳに関係なく固定された値であり得る。
【０３０９】
最大ＳＣＳ別に設定された値である場合、前記制限（restriction）のＸ値は最大ＳＣＳ別に変わる値であり得る。一例として、Ｘ値は最大ＳＣＳに反比例する関係を有する値であり得る。
【０３１０】
図８は、本明細書で提案するＣＡ状況においてアップリンク信号を送信する端末の動作の一例を示した図である。
【０３１１】
まず、端末は、第１ＴＡＧ（timing advance group）に含まれる第１コンポーネントキャリア（component carrier）上で第１アップリンク信号を基地局に送信する（Ｓ８１０）。
【０３１２】
そして、前記端末は、第２ＴＡＧ（timing advance group）に含まれる第２コンポーネントキャリア（component carrier）上で第２アップリンク信号を基地局に送信する（Ｓ８２０）。
【０３１３】
ここで、前記第１ＴＡＧと前記第２ＴＡＧは相異なるＴＡ（timing advance）が適用される。
【０３１４】
そして、前記第１アップリンク信号と前記第２アップリンク信号間の最大送信タイミング差（maximum uplink timing difference）は最大のサブキャリア間隔（subcarrier spacing）に基づいて決定される。
【０３１５】
もし、前記最大のサブキャリアの間隔がＮ倍増加する場合、前記最大送信タイミング差（maximum uplink timing difference）は１／Ｎ倍に減少することが。
【０３１６】
そして、前記最大サブキャリア間隔は、特定の周波数バンド（frequency band）、前記無線通信システム又はＴＡＧにおいてサポートするサブキャリア間隔のうち最大値で設定される。
【０３１７】
また、前記第１ＴＡＧ及び前記第２ＴＡＧに対するＴＡ細分性（granularity）は、前記最大のサブキャリア間隔を基準に設定される。
【０３１８】
また、前記第１ＴＡＧ及び前記第２ＴＡＧのそれぞれは、単一ヌメロロジー（single numerology）で設定されるか、又は多数のヌメロロジー（single numerology）で設定される。
【０３１９】
また、前記第１ＴＡＧ及び前記第２ＴＡＧが単一ヌメロロジー（single numerology）で設定された場合、最大ＴＡはサブキャリア間隔別に設定される。
【０３２０】
また、前記第１ＴＡＧ及び前記第２ＴＡＧがそれぞれ多数のヌメロロジー（single numerology）で設定された場合、各ＴＡＧ内の最大（maximum）ＴＡは最小（minimum）サブキャリアの間隔を基準に設定される。
【０３２１】
ここで、第１ＴＡＧはｐＴＡＧ（primary TAG）、前記第２ＴＡＧはｓＴＡＧ（secondary TAG）であり得る。
【０３２２】
図９は、本明細書で提案するＣＡ状況においてダウンリンク信号を受信する端末の動作の一例を示す図である。
【０３２３】
まず、端末は、第１ＴＡＧ（timing advance group）に含まれる第１コンポーネントキャリア（component carrier）上で第１ダウンリンク信号を基地局から受信する（Ｓ９１０）。
【０３２４】
そして、前記端末は、第２ＴＡＧ（timing advance group）に含まれる第２コンポーネントキャリア（component carrier）上で第２ダウンリンク信号を基地局から受信する（Ｓ９２０）。
【０３２５】
ここで、前記第１ダウンリンク信号と前記第２ダウンリンク信号間の最大受信タイミング差（maximum uplink timing difference）は受信バッファサイズ（receive buffer size）、遅延時間（latency）又は最大ＴＡのうち少なくとも１つに基づいて決定される。
【０３２６】
そして、前記第１ダウンリンク信号はダウンリンク制御信号、前記第２ダウンリンク信号はダウンリンクデータであり得る。
【０３２７】
前述した各実施形態は、別個に行われてもよく、１つ又はそれ以上の実施形態の組み合わせにより行われてもよい。
【０３２８】
本発明が適用できる装置の一般
【０３２９】
図１０は、本明細書で提案する方法が適用できる無線通信装置のブロック構成図を例示する。
【０３３０】
図１０に示すように、無線通信システムは、基地局１０１０と基地局の領域内に位置した多数の端末１０２０とを含む。
【０３３１】
前記基地局と端末はそれぞれ無線装置と表現されることもできる。
【０３３２】
基地局１０１０は、プロセッサ（processor）１０１１、メモリ（memory）１０１２及びＲＦモジュール（radio frequency module）１０１３を含む。プロセッサ１０１１は、前記図１ないし図９で提案された機能、過程及び／又は方法を実現する。無線インタフェースプロトコルの層は、プロセッサにより実現されることができる。メモリは、プロセッサと接続されて、プロセッサを駆動するための様々な情報を格納する。ＲＦモジュールは、プロセッサと接続されて、無線信号を送信及び／又は受信する。
【０３３３】
端末は、プロセッサ１０２１、メモリ１０２２及びＲＦモジュール１０２３を含む。
【０３３４】
プロセッサは、前記図１ないし図９で提案された機能、過程及び／又は方法を実現する。無線インタフェースプロトコルの層は、プロセッサにより実現されることができる。メモリは、プロセッサと接続されて、プロセッサを駆動するための様々な情報を格納する。ＲＦモジュール１０２３は、プロセッサと接続されて、無線信号を送信及び／又は受信する。
【０３３５】
メモリ１０１２、１０２２は、プロセッサ１０１１、１０２１の内部又は外部に位置し、よく知られている多様な手段でプロセッサと接続されることができる。
【０３３６】
また、基地局及び／又は端末には１つのアンテナ（single antenna）又は多重アンテナ（multiple antenna）を有することができる。
【０３３７】
図１１は、本発明の一実施形態による通信装置のブロック構成図を例示する。
【０３３８】
特に、図１１においては、前記図１０の端末をより詳細に例示する。
【０３３９】
図１１に示すように、端末は、プロセッサ（又は、デジタル信号プロセッサ（ＤＳＰ：digital signal processor）１１１０、ＲＦモジュール（RF module）（又は、ＲＦユニット）１１３５、パワー管理モジュール（power management module）１１０５、アンテナ（antenna）１１４０、バッテリ（battery）１１５５、ディスプレイ（display）１１１５、キーパッド（keypad）１１２０、メモリ（memory）１１３０、ＳＩＭカード（SIM（Subscriber Identification Module） card）１１２５（この構成は選択的である）、スピーカ（speaker）１１４５及びマイクロホン（microphone）１１５０を含んで構成される。端末は、また、単一のアンテナ又は多重のアンテナを含むことができる。
【０３４０】
プロセッサ１１１０は、前記図１ないし図９で提案された機能、過程及び/又は方法を実現する。無線インタフェースプロトコルの層はプロセッサにより実現される。
【０３４１】
メモリ１１３０は、プロセッサと接続されて、プロセッサの動作に関する情報を格納する。メモリ１１３０は、プロセッサの内部又は外部に位置し、よく知られている多様な手段でプロセッサと接続されることができる。
【０３４２】
ユーザは、例えば、キーパッド１１２０のボタンを押すか（又は、タッチするか）又はマイクロホン１１５０を利用した音声駆動（voice activation）により電話番号などの命令情報を入力する。プロセッサは、このような命令情報を受信し、電話番号で電話をかけるなど適切な機能を行うように処理する。駆動上のデータ（operational data）はＳＩＭカード１１２５又はメモリ１１３０から抽出することができる。また、プロセッサは、ユーザの認知及び便宜のために命令情報又は駆動情報をディスプレイ１１１５上に表示することができる。
【０３４３】
ＲＦモジュール１１３５は、プロセッサに接続されて、ＲＦ信号を送信及び／又は受信する。プロセッサは、通信を開始するために、例えば、音声通信データを構成する無線信号を送信するように命令情報をＲＦモジュールに伝達する。ＲＦモジュールは、無線信号を受信及び送信するために受信機（receiver）及び送信機（transmitter）で構成される。アンテナ１１４０は、無線信号を送信及び受信する機能を果たす。無線信号を受信するとき、ＲＦモジュールは、プロセッサにより処理するために信号を伝達し、基底帯域に信号を変換することができる。処理された信号は、スピーカ１１４５を介して出力される可聴又は可読情報に変換されることができる。
【０３４４】
図１２は、本明細書で提案する方法が適用できる無線通信装置のＲＦモジュールの一例を示す図である。
【０３４５】
具体的に、図１２は、ＦＤＤ（Frequency Division Duplex）システムにおいて実現できるＲＦモジュールの一例を示す。
【０３４６】
まず、送信経路で、図１０及び図１１で記述されたプロセッサは送信されるデータをプロセシングしてアナログ出力信号を送信機１２１０に提供する。
【０３４７】
送信機１２１０内において、アナログ出力信号はデジタル−対−アナログ変換（ＡＤＣ）により発生するイメージを除去するために、低域通過フィルタ（Ｌｏｗ  Ｐａｓｓ  Ｆｉｌｔｅｒ：ＬＰＦ）１２１１によりフィルタリングされ、アップコンバータ（Ｍｉｘｅｒ）１２１２により基底帯域からＲＦにアップコンバートされ、可変利得増幅器（Ｖａｒｉａｂｌｅ  Ｇａｉｎ  Ａｍｐｌｉｆｉｅｒ：ＶＧＡ）１２１３により増幅され、増幅された信号はフィルタ２５１４によりフィルタリングされ、電力増幅器（Ｐｏｗｅｒ  Ａｍｐｌｉｆｉｅｒ：ＰＡ）１２１５により追加で増幅され、デュプレクサ（ら）１２５０／アンテナスイッチ（ら）１２６０を介してルーティングされ、アンテナ１２７０を介して送信される。
【０３４８】
また、受信経路において、アンテナ１２７０は、外部から信号を受信して受信された信号を提供し、この信号はアンテナスイッチ（ら）１２６０／デュプレクサ１２５０を介してルーティングされ、受信機１２２０に提供される。
【０３４９】
受信機１２２０内で、受信された信号は低雑音増幅器（Ｌｏｗ  Ｎｏｉｓｅ  Ａｍｐｌｉｆｉｅｒ：ＬＮＡ）１２２３により増幅され、帯域通過フィルタ１２２４によりフィルタリングされ、ダウンコンバータ（Ｍｉｘｅｒ）１２２５によりＲＦから基底帯域にダウンコンバートされる。
【０３５０】
前記ダウンコンバートされた信号は、低域通過フィルタ（ＬＰＦ）１２２６によりフィルタリングされ、ＶＧＡ１２２７により増幅されてアナログ入力信号を取得し、これは、図１０及び図１１で記述されたプロセッサに提供される。
【０３５１】
また、ローカルオシレータ（ｌｏｃａｌ  ｏｓｃｉｌｌａｔｏｒ：ＬＯ）発生器１２４０は、送信及び受信ＬＯ信号を発生及びアップコンバータ１２１２とダウンコンバータ１２２５にそれぞれ提供する。
【０３５２】
また、位相固定ループ（Ｐｈａｓｅ  Ｌｏｃｋｅｄ  Ｌｏｏｐ：ＰＬＬ）１２３０は、適切な周波数において送信及び受信ＬＯ信号を生成するためにプロセッサから制御情報を受信し、制御信号をＬＯ発生器１２４０に提供する。
【０３５３】
また、図１２に示す回路は、図１２に示す構成と異なるように配列されることもできる。
【０３５４】
図１３は、本明細書で提案する方法が適用できる無線通信装置のＲＦモジュールのまた他の一例を示す図である。
【０３５５】
具体的に、図１３は、ＴＤＤ（Ｔｉｍｅ  Ｄｉｖｉｓｉｏｎ  Ｄｕｐｌｅｘ）システムにおいて実現できるＲＦモジュールの一例を示す。
【０３５６】
ＴＤＤシステムにおけるＲＦモジュールの送信機１３１０及び受信機１３２０は、ＦＤＤシステムにおけるＲＦモジュールの送信機及び受信機の構造と同一である。
【０３５７】
以下、ＴＤＤシステムのＲＦモジュールは、ＦＤＤシステムのＲＦモジュールと異なる構造に対してのみ説明し、同一の構造については、図１２の説明を参照する。
【０３５８】
送信機の電力増幅器（Ｐｏｗｅｒ  Ａｍｐｌｉｆｉｅｒ：ＰＡ）１３１５により増幅された信号は、バンド選択スイッチ（Ｂａｎｄ  Ｓｅｌｅｃｔ  Ｓｗｉｔｃｈ）１３５０、バンド通過フィルタ（ＢＰＦ）１３６０及びアンテナスイッチ（ら）１３７０を介してルーティングされ、アンテナ１３８０を介して送信される。
【０３５９】
また、受信経路において、アンテナ１３８０は、外部から信号を受信して受信された信号を提供し、この信号は、アンテナスイッチ（ら）１３７０、バンド通過フィルタ１３６０及びバンド選択スイッチ１３５０を介してルーティングされ、受信機１３２０に提供される。
【０３６０】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０３６１】
本発明による実施形態は、多様な手段、例えば、ハードウェア、ファームウエア（ｆｉｒｍｗａｒｅ）、ソフトウェア、またはそれらの結合などにより実現できる。ハードウェアによる実現の場合、本発明の一実施形態は１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現できる。
【０３６２】
ファームウエアやソフトウェアによる実現の場合、本発明の一実施形態は以上で説明された機能または動作を遂行するモジュール、手順、関数などの形態で実現できる。ソフトウェアコードはメモリに格納されてプロセッサにより駆動できる。前記メモリは前記プロセッサの内部または外部に位置し、既に公知された多様な手段により前記プロセッサとデータをやり取りすることができる。
【０３６３】
本発明は、本発明の必須的な特徴を逸脱しない範囲で他の特定の形態に具体化できることは通常の技術者に自明である。従って、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０３６４】
本発明は、３ＧＰＰ  ＬＴＥ／ＬＴＥ−Ａ／ＮＲシステムに適用される例を中心に説明したが、３ＧＰＰ  ＬＴＥ／ＬＴＥ−Ａ／ＮＲシステム以外にも多様な無線通信システムに適用することが可能である。
【図１】
2020533888.tif 000043
【図２】
2020533888.tif 000044
【図３】
2020533888.tif 000045
【図４】
2020533888.tif 000046
【図５】
2020533888.tif 000047
【図６】
2020533888.tif 000048
【図７】
2020533888.tif 000049
【図８】
2020533888.tif 000050
【図９】
2020533888.tif 000051
【図１０】
2020533888.tif 000052
【図１１】
2020533888.tif 000053
【図１２】
2020533888.tif 000054
【図１３】
2020533888.tif 000055
【国際調査報告】
2020533888.tif 000056
2020533888.tif 000057
2020533888.tif 000058
2020533888.tif 000059